(57)【要約】      （修正有）【課題】パーソナル衛生製品及びユーザーを支援するためのディスプレイを有するパーソナルケアシステムを提供する。【解決手段】パーソナルケアシステムは、パーソナルケア製品（例えば、電動歯ブラシ３５）、パーソナルケア製品とデータ通信を行う対話型ディスプレイ４５を備える。ディスプレイは、ユーザーに対してパーソナルケアレジメンの複数の特性と関連する情報を提供する。ディスプレイは、ネットワークとデータ通信を行い、ネットワークから情報を受信することができ、ディスプレイは、ネットワークから受信した情報を表示する１つ以上のアプリケーションを実行する。【選択図】図２Ａ
2014205063.tif 000002
【特許請求の範囲】
【請求項１】
口腔ケアシステム（３０）であって、
悪臭センサを備える歯ブラシ（３５、３７、４５、１８０）と、
前記歯ブラシとデータ通信を行うディスプレイ（２０、４５、３５０）と、を備え、
前記ディスプレイが複数の定型的歯磨き法と関連する情報を表示し、ユーザーに将来の定型的歯磨き法に関する情報を提供し、
複数の口腔ケア製品を更に含み、前記複数の口腔ケア製品が前記口腔ケアシステムにデータを送信でき、
前記ディスプレイが、前記悪臭センサからの入力に基づいて、将来の定型的歯磨き法に用いられる前記口腔ケア製品に関する情報を表示し、
前記複数の口腔ケア製品が包装された歯磨剤製品及び包装された口内洗浄液製品を含む、
ことを特徴とする、口腔ケアシステム。
【請求項２】
前記データ通信が歯磨きサイクル中において連続的である、請求項１に記載の口腔ケアシステム。
【請求項３】
前記データ通信が歯磨きサイクル中において断続的である、請求項１に記載の口腔ケアシステム。
【請求項４】
前記複数の定型的歯磨き法と関連する情報が同時に表示される、請求項１〜３のいずれか一項に記載の口腔ケアシステム。
【請求項５】
前記ディスプレイに表示された前記情報が、アイコン、図形、文字列、数字、映像、及び画像からなる群から選択される、請求項１〜４のいずれか一項に記載の口腔ケアシステム。
【請求項６】
前記ディスプレイがタイマーの経過後に褒賞を表示する、請求項１〜５のいずれか一項に記載の口腔ケアシステム。
【発明の詳細な説明】
【技術分野】
【０００１】
本特許は、パーソナルケアシステム、製品、及び方法に関し、１つの実施形態では、消費者の家庭で使用するための口腔ケアシステム、製品、及び方法に関する。
【背景技術】
【０００２】
消費者は、多数のパーソナルケア製品をバスルーム内で使用するが、そこは空間が非常に限られている場合がある。有用なパーソナルケア（又は他の）情報を消費者に、１つ以上のパーソナルケア製品の使用前、使用中、又は使用後に送達する製品及び方法を提供したいという願望がある。
【図面の簡単な説明】
【０００３】
【図１】ディスプレイに関連する複数のパーソナルケアシステムを含む、本発明の実施形態の概略図。
【図２Ａ】ディスプレイに関連する口腔ケアシステムの本発明の別の実施形態の斜視図。
【図２Ｂ】図２Ａのディスプレイに関連する口腔ケアシステムの本発明の別の実施形態の斜視図。
【図３】図２Ａのディスプレイ、及びディスプレイを摺動可能に受容するための据え付け構造体の正面図。
【図４】本発明に関して使用され得る電気的及び電子的構成要素のブロック図。
【図５】図２Ａのディスプレイがスタンドと共に提供されている、本発明の別の実施形態の斜視図。
【図６】図２Ａのディスプレイの背面図。
【図７】ディスプレイにより表示され得る多様な視覚情報を例示する、図２Ａのディスプレイの正面図。
【図８】複数のタイマーが例示される、図２Ａのディスプレイの別の実施形態の正面図。
【図９】ディスプレイが複数の光源を含む、図２Ａのディスプレイの別の実施形態の正面図。
【図１０】鏡と、複数の光源と、を含む装置を例示する、本発明の別の実施形態の斜視図。
【図１１】鏡及び光源が据え付け構造体内に摺動して受容される、図１０の装置の代替的実施形態の正面図。
【図１２】ネットワークに接続されている口腔ケアシステムを含む、本発明の別の実施形態の概略図。
【図１３】複数のパーソナルケア製品を含む、本発明の代替的実施形態の概略図。
【図１４】複数のパーソナルケア製品を含む、本発明の別の実施形態の概略図。
【図１５】本発明に関して使用するのに好適な歯ブラシの断面側面図。
【図１６】図１５の歯ブラシの分解斜視図。
【図１７】毛フィールドが第１構成において示される、図１５の歯ブラシの断面側面図。
【図１８】毛フィールドが第２構成において示される、図１５の歯ブラシの断面側面図。
【図１９】ネットワークに接続されているパーソナルケアシステムを含む、本発明の別の実施形態の概略図。
【図２０Ａ】図１９の例示のシステムにおける例示のスクリーンショットの代表図。
【図２０Ｂ】図１９の例示のシステムにおける例示のスクリーンショットの代表図。
【図２１Ａ】図１９のシステムにおける例示の設定画面のスクリーンショットの代表図。
【図２１Ｂ】図１９のシステムにおける例示の対話型キーボード画面のスクリーンショットの代表図。
【図２１Ｃ】図１９のシステムにおける例示のブラシ設定画面のスクリーンショットの代表図。
【図２２】図１９のシステムにおける例示のパーソナル歯磨きログ画面のスクリーンショットの代表図。
【図２３】図１９のシステムにおける例示のパーソナル歯磨きログ画面のスクリーンショットの代表図。
【図２４Ａ】図１９のシステムにおける例示のパーソナル歯磨きログ画面のスクリーンショットの代表図。
【図２４Ｂ】図１９のシステムにおける例示のパーソナル推奨画面のスクリーンショットの代表図。
【図２５】図１９のシステムにおける例示の通知画面のスクリーンショットの代表図。
【図２６】図１９のシステムにおける例示の初期画面のスクリーンショットの代表図。
【図２７】図１９のシステムにおける例示の特価案内画面のスクリーンショットの代表図。
【図２８】図１９のシステムにおける例示の子供用の表紙画面のスクリーンショットの代表図。
【図２９Ａ】図１９のシステムにおける例示のユーザーが選ぶチャンネル選択初期画面のスクリーンショットの代表図。
【図２９Ｂ】図１９のシステムにおける例示のチャンネル選択画面のスクリーンショットの代表図。
【図３０Ａ】それぞれ、図１９のシステムにおける例示の音楽の表紙画面及び音楽コンテンツ用アプリケーション画面のスクリーンショットの代表図。
【図３０Ｂ】それぞれ、図１９のシステムにおける例示の音楽の表紙画面及び音楽コンテンツ用アプリケーション画面のスクリーンショットの代表図。
【図３１Ａ】それぞれ、図１９のシステムにおける例示のスポーツの表紙画面及びスポーツコンテンツ用アプリケーション画面のスクリーンショットの代表図。
【図３１Ｂ】それぞれ、図１９のシステムにおける例示のスポーツの表紙画面及びスポーツコンテンツ用アプリケーション画面のスクリーンショットの代表図。
【図３２Ａ】それぞれ、図１９のシステムにおける例示の気象の表紙画面及び気象コンテンツ用アプリケーション画面のスクリーンショットの代表図。
【図３２Ｂ】それぞれ、図１９のシステムにおける例示の気象の表紙画面及び気象コンテンツ用アプリケーション画面のスクリーンショットの代表図。
【図３３Ａ】それぞれ、図１９のシステムにおける例示の交通の表紙画面及び交通コンテンツ用アプリケーション画面のスクリーンショットの代表図。
【図３３Ｂ】それぞれ、図１９のシステムにおける例示の交通の表紙画面及び交通コンテンツ用アプリケーション画面のスクリーンショットの代表図。
【図３４】図１９のシステムにおける例示のパーソナルケア選択画面のスクリーンショットの代表図。
【図３５】図１９のシステムにおける例示の口腔マップ表示のスクリーンショットの代表図。
【図３６】図１９のシステムにおける例示の指示表示のスクリーンショットの代表図。
【図３７】外部メモリデバイスに相互接続できるパーソナルケアシステムを含む、本発明の別の実施形態の代表図。
【発明を実施するための形態】
【０００４】
以下の本文は、本発明の多種多様な実施形態の大まかな説明を示す。あらゆる可能な実施形態を説明するのは不可能ではないとしても非現実的であるため、この説明は単なる例示として解釈されるべきであり、あらゆる可能な実施形態を説明するものではなく、本明細書に記載されるいずれかの機構、特性、コンポーネント、組成物、成分、製品、工程、若しくは方法論は、削除することができ、本明細書に記載される他のいずれかの機構、特性、コンポーネント、組成物、成分、製品、工程、若しくは方法論と組み合わせることができ、又は全体的若しくは部分的に置き換えることができることは理解されるであろう。最新の技術又は本特許の申請日以降に開発された技術のいずれかを用いて、非常に多くの代替的な実施形態を実施することができるが、このような実施形態はそれでも、本請求項の範囲内に含まれることになるであろう。本明細書内で引用する出版物及び特許は全て、本明細書に参照により組み込まれる。
【０００５】
また、本特許内で、「本明細書で使用するとき、用語「＿＿＿＿＿＿」は本明細書によって．．．を意味するものとして定義される」という文章又はこれと類似の文章を使用して、用語が明示的に定義されていない限り、明示的か暗示的かにかかわらず、その用語の明白な又は一般的な意味を超越して、その用語の意味を限定するものではないことが理解されるべきであり、そのような用語は、本特許のいずれかの部分に記載されているいずれかの記述（請求項の文言は除く）に基づいて範囲が限定されるものと解釈されるべきでない。いずれの用語も、本発明に不可欠なものとして記載されていない限りは、本発明に不可欠なものではないことが意図される。本特許の最後にある請求項に記載されているいずれかの用語が、ある単一の意味と一致した形で本特許内で言及されている限りにおいては、読み手を混乱させないように、単に分かりやすくする目的だけのためにそうしているのであって、暗示又はその他の方法によって、請求項の当該用語をその１つの意味に限定することは意図していない。最後に、請求項の要素が、いかなる構造の詳述も伴わずに、その語の「意味」及び機能を詳述することによって定義されるものでない限り、請求項の要素の範囲が、米国特許法第１１２条第６段落の適用に基づいて解釈されることは意図しない。
【０００６】
本明細書で使用するとき、用語「パーソナルケア」は、個人的清潔、個人的衛生、個人的外観、及び／又は個人的健康状態若しくは人として生きる個人の快適性を指す。
【０００７】
本明細書で使用するとき、用語「パーソナルケア製品」は、個人的清潔、個人的衛生、個人的外観、及び／又は個人的健康状態若しくは快適性を改善及び／又は変更するのに利用することができる任意の用具、デバイス、道具、アプリケータ、製品包装、及び／又は製品組成を指す。非限定的な好適な例には、手動歯ブラシ、電動歯ブラシ、男性用カミソリ、女性用カミソリ、男性用シェーバー、女性用シェーバー、トリマー、ヘチマ、スポンジ、洗い布、セルフタンニングアプリケータ、並びに化粧用ブラシ及びアプリケータが挙げられる。
【０００８】
図１を参照すると、本発明の１つの実施形態では、パーソナルケアシステム１０は、１つ以上のデータリンク１７により、多様な情報を提供するディスプレイ２０と接続される１つ以上のパーソナルケア製品１５を含み、この情報の提供には、パーソナルケア情報、１つ以上のパーソナルケア製品１５に関連するパーソナルケア情報、パーソナル衛生情報、娯楽、マルチメディア（例えば、音楽、映像、テレビ番組、ビデオクリップなど）、データ、統計値、インターネットコンテンツ（例えば、ウェブカム、ソーシャルネットワーク、オークション、メディアプログラム及びメディア情報など）、アラーム、時間、日付、予定表、ニュース、気象、マーケット及び／若しくは株式データ、並びに／又は任意のその他情報若しくはコンテンツに関する、視覚情報を表示すること、及び／又は聴覚情報を送達すること（すなわちスピーカーを介して再生すること）が挙げられるが、これらに限定されない。
【０００９】
ディスプレイ２０は、鏡若しくは他のガラス表面、カウンター、壁、棚のような硬質表面を含む多様な表面上に据え付けできる若しくは定置できるスタンドアロン型ディスプレイとしても提供できるし、又はそれは高級家具、又はいずれかの他の構造の上、中に据え付けられてもよく、又はその内部に定置されてもよい。別の実施形態では、ディスプレイ２０を、例えば、鏡、壁などの表面上に視覚情報を投影できるプロジェクタと共に提供できる。ディスプレイ２０は、１つ以上のスピーカーなどの音響装置を含み、映像ファイルと別に又は共に音声ファイルを再生することができる。
【００１０】
ディスプレイ２０は、ユーザーがそれをバスルームの外に持ち出せるように、携帯用のサイズ及び形状で提供され得る。例えば、ディスプレイ２０は、ユーザーのベルトにそれを取り付けられるようにベルトクリップを備えていることもでき、又はディスプレイ２０は、ディスプレイ中に記憶されたデータを歯科医による検査のために、コンピュータ若しくは他の装置にダウンロードできる歯科医院のような家庭外の他の場所に持ち出すこともできる。１つの実施形態では、ディスプレイ２０は、バスルームの１つ以上の流しに隣接する鏡に据え付けられる。あるいは、ディスプレイ２０は、パーソナルケア製品の一部として提供され得る。多重ディスプレイもまた、おそらくパーソナルケア製品の一部として、及び／又はスタンドアロン型ディスプレイとしての両方により提供され得る。ディスプレイ２０は、情報を表示するための小型の携帯用ディスプレイとして提供され得るが、いくつかの実施形態では、ディスプレイ２０は、多機能ディスプレイでもあり得、複数用途を有してもよく、パーソナルケアシステム１０以外の情報源からの入力を受信してもよい。他の情報源には、いずれかの種類のセンサ、例えば温度センサ、気象若しくは大気センサ、圧力センサ、力センサ、カメラ、唾液センサ、又は生体物質を分析できる他のセンサを挙げることができる。本発明で利用できる他のセンサは、米国特許出願公開第２００８／００６０１４８号、及び２００８年１１月２０日に出願された米国特許出願第６１／１１６，３２７号、名称「Ｐｅｒｓｏｎａｌ  Ｈｙｇｉｅｎｅ  Ｄｅｖｉｃｅｓ，Ｓｙｓｔｅｍｓ  ａｎｄ  Ｍｅｔｈｏｄｓ」に記載されている。
【００１１】
いくつかの実施形態では、ディスプレイは、第三者のサービスプロバイダー（例えば、ケーブル会社、電話会社、携帯電話サービスプロバイダー、これらの組み合わせなど）からのテレビ又はラジオ信号を受信してもよい。ディスプレイ２０はまた、本明細書で以下に説明するように、有線又は無線のいずれかのデータ通信を用いてインターネットに接続することもできる。１つの実施形態では、ディスプレイ２０はほぼ矩形であり、約３０ｍｍ未満の長さ及び約１５ｍｍ未満の幅を有するが、ディスプレイ２０は、多種多様な形状及びサイズで提供され得る。１つの形態では、ディスプレイ２０は、ＬＣＤ（液晶ディスプレイ）として提供される。ディスプレイは、インターネットに接続できる任意のスクリーン付き携帯デバイスなど、任意の好適なデバイスを含んでよい。例えば、いくつかの実施形態では、ディスプレイはＩ−Ｐｈｏｎｅ（登録商標）であってよい。好適なディスプレイのいくつかの例は、米国特許出願公開第２００８／０１０９９７３（Ａ１）号でも詳述されている。
【００１２】
１つ以上のパーソナルケア製品１５は、次の製品カテゴリーから選択される製品が挙げられるが、これらに限定されないパーソナルケア製品のいずれかの種類であることができ、その製品カテゴリーとは、口腔ケア製品、パーソナル手入れ製品（例えば、シェーバー又は脱毛器具）、パーソナル診断製品（例えば、体温計）、ヘアケア製品（例えば、シャンプー、コンディショナー、着色剤など）、及び電気器具（例えば、ヘアドライヤー、ヘアアイロンなど）、化粧品、洗面用具、及びいずれかの他のパーソナルケア製品である。パーソナルケア製品は、パーソナル使用に好適ないずれかの製品であり得る。
【００１３】
１つの実施形態では、本発明は、１つ以上の口腔ケア製品に関して使用される。口腔ケア製品は、手動歯ブラシ、電動歯ブラシ、リンス、歯磨剤、義歯ケア製品、フロス製品、歯用ホワイトニング製品、及び口腔に使用するためのいずれかの他の製品が挙げられるが、これらに限定されない、多様な口腔ケア製品のサブカテゴリーから選択され得る。口腔ケア製品は、同じサブカテゴリー内の１つ以上の製品であることもでき、及び／又は複数のサブカテゴリーからの１つ以上の製品であることもできる。例えば、本発明は、手動歯ブラシ、電動歯ブラシ、歯磨剤、及びリンスに関して使用されてもよい。他の実施形態では、本発明はまた、他のパーソナルケア製品のカテゴリー及び／又はそのサブカテゴリーからの１つ以上の製品に関して使用され得る。例えば、ディスプレイ２０は、複数の口腔ケア製品及び複数の剃毛製品に関して使用されてもよい。加えて、２人以上のユーザーがディスプレイを使用してもよい。例えば、同じディスプレイ又は複数のディスプレイが、１つ以上のパーソナルケア製品を使用する２人以上の家族により使用されてもよい。
【００１４】
表示され得る情報は、パーソナルケア情報又は他の情報を含み、非常に多様である。パーソナルケア情報は、いずれかの方式で、１つ以上のパーソナルケア製品、それらの用途（使用履歴若しくは使用時間などの使用レジメン情報を含む）、又はパーソナルケア製品のユーザーに関する情報に関連していてよい。表示され得るパーソナルケア情報のいくつかの例には、パーソナルケア製品の識別情報（例えば、名称、ブランド、モデル、ロゴなど）、ユーザー情報、使用説明書、パーソナルケア製品の機構、機能、動作パラメータ又は状態に関連する情報（製品の「機能特性」とまとめて呼ばれる）、製品の使用又は使用レジメン情報、及び製品又は構成要素の交換情報が挙げられるが、これらに限定されない。例として、ディスプレイ２０は、家族のメンバー間、複数の家族間、及び／又は複数のユーザー（例えば歯磨きネットワークのユーザー）間で、定型的なパーソナル衛生方法を比較する情報を示してよい。
【００１５】
更に、娯楽、娯楽情報、マルチメディア（例えば、音楽、映像、テレビ番組、ビデオクリップなど）、データ、統計値、インターネットコンテンツ、時間、日付、予定表、ニュース、気象、株式の最新情報、ウェブカム、オークション情報、及び／又は任意のその他情報若しくはコンテンツが挙げられるがこれらに限定されない、その他の情報を表示してよい。例えば、テレビ放送、静止画像、ＨＴＭＬ及びその他インターネットコンテンツ（例えば、インターネットウィジェット）、カレンダー、日時、マルチメディア、及びホームネットワークからのイントラネット情報もまた表示することができる。表示され得る視覚情報の形態もまた非常に多様であり、画像、図形、アイコン、文字列、数字データ、英数字データ、グラフ、チャート、表、カレンダー、映像などを挙げることができる。好適なインターネットウィジェット及びインターネットコンテンツのいくつかの例は、ＣＨＵＭＢＹ（登録商標）、Ｙａｈｏｏ（登録商標）、及びＦｒａｍｅ  Ｃｈａｎｎｅｌ（登録商標）から提供される。
【００１６】
表示される情報は、電動歯ブラシ３５の１つ以上の特性に関連していてもよく、毛ホルダー（又は歯ブラシヘッド）の動きの速度、振幅、若しくは振動数、歯ブラシによって歯に与えられる力、歯ブラシの機構若しくは機能の状態（例えば、歯ブラシが電圧を印加されているか又は歯ブラシの機構が作動されているか若しくは動作を停止されているか）、電源の状態（例えば、完全に充電されている電池か、５０％充電されている電池か、又は再充電若しくは交換が必要な電池か）、電動歯ブラシに連結されているブラシヘッド若しくはクリーニング要素の種類（例えば、マッサージ要素か、つや出し要素かなど）、及び／又は毛フィールドの構成などが挙げられるが、これらに限定されない。歯ブラシ（又はいずれかのパーソナルケア製品）の特性は、歯ブラシの機構、歯ブラシの性能、又は歯ブラシ若しくはその構成要素のいずれかの状態に関するいずれかの態様であってもよい。
【００１７】
ディスプレイ２０が、毛ホルダーの動きの速度、振幅、振動数、及び／又は歯ブラシによって歯に与えられる力に関する情報をユーザーに提供する実施形態が想到される。ディスプレイ２０は、力を弱くする、力を強くする、ブラシをもっとゆっくり動かす、ブラシをもっと早く動かすなど、及び／又はこれらの組み合わせについて、ユーザーに示すこともできる。ユーザーが行いたい機能、例えば洗浄、つや出し、歯肉マッサージ、歯石除去、抗菌、ホワイトニング、これらの組み合わせに応じて、その機能及び／又は複数の機能の組み合わせから効果増大を実現するため、ディスプレイ２０は、その機能を実行する方法をユーザーに示すことができる。例えばつや出しには、つや出し効果を増すために、ディスプレイ２０は、歯ブラシ３５でつや出しモードを選択することをユーザーに示すことができる。別の例としてホワイトニング機能には、ディスプレイ２０は、過酸化物歯磨剤の利用、並びに／又はホワイトニング及び／若しくは染み除去効果をもたらし得る口腔ケアデバイス、例えばブラシの利用を推奨することを、ユーザーに示すことができる。ディスプレイ２０は更に、ユーザーにホワイトニング効果を最大にするためのレジメンを推奨、例えばホワイトニング用ペースト、ホワイトニング用ブラシ、ホワイトニング用リンスなどの推奨をしてよい。ディスプレイ２０は、ユーザーが所望の機能をディスプレイ２０に入力するように構成されてよく、又は別の方法としては、ディスプレイ２０は、使用する歯磨剤の種類、使用するリンスの種類、使用する歯ブラシ、使用するブラシヘッド、歯ブラシの動作など、及び／又はその他同類のものにより、所望の機能を決定するよう構成されてよい。
【００１８】
更に別の実施形態では、ディスプレイ２０は、歯ブラシ３５にインプットを提供するよう構成されてよい。例えば、ユーザーがホワイトニング用歯磨剤及び／又はリンスの利用を選択する場合、ディスプレイ２０は歯ブラシ３５と通信し、口腔ケアデバイスの適切な機能、例えばホワイトニング及び／又はつや出しを選択できる。
【００１９】
いくつかの実施形態では、歯ブラシ３５は更に、特定の化合物又は化学物質の存在を検出できる悪臭センサを含んでよい。悪臭センサを任意の好適な位置に配置してよい。例えば、悪臭センサをその大きさにより歯ブラシ３５のハンドル内に配置してよい。本明細書で述べる機能又はその組み合わせに加えて、又はそれとは独立して、歯ブラシ３５を使用して口腔内の口臭を検出できる。いくつかの実施形態では、歯ブラシ３５は、ユーザーが選択したとおりに、又は製造者がプログラムしたとおりに、時刻に応じて特定の処置を感知若しくは実施可能なＡＭ／ＰＭブラシ（プログラム可能にしてよい）にすることができる。ユーザーはディスプレイ２０を介して歯ブラシ３５をプログラムできる。
【００２０】
いくつかの実施形態では、悪臭センサをディスプレイ２０内に含めることができる。例えば、ディスプレイ２０がユーザーに対し、ディスプレイ２０上の悪臭センサに息を吐くことを指示することができる。悪臭センサからの入力に基づき、ディスプレイ２０は、口腔衛生レジメン、例えば洗口液の使用についてユーザーに対する推奨を提示できる。加えて、ディスプレイ２０は歯ブラシ３５と通信し、悪臭センサからの入力に基づく動作モードを選択してよい。例えば、ディスプレイ２０は歯ブラシ３５の舌洗浄モードを推奨でき、又はディスプレイ２０は自動的に歯ブラシ３５の舌洗浄モードを選択することができる。
【００２１】
ディスプレイ２０は、ユーザーが所望の機能に対して正しいパラメータを利用するかどうか、ユーザーに通知できる。例えば、所望の機能が洗浄である場合、ディスプレイ２０は、歯ブラシ３５の動作モードの変更をユーザーに通知してよく、歯ブラシ３５ひいては歯に加える力を変えるようユーザーに指示してよく、並びに／又は特定の歯磨剤、リンス、歯ブラシ、及び／若しくはブラシヘッドを利用するようユーザーに指示してよい。別の実施形態では、ディスプレイ２０は、歯ブラシ３５が所望の機能を実行するように、自動的に歯ブラシ３５の動作モードを選択及び／又は変更してよい。更に別の例として、ディスプレイ２０は、定型的な口腔衛生法を変えるようユーザーに指示できる。この例では、ディスプレイ２０は、特定の歯ブラシ又は歯ブラシ上の特定のヘッドを利用するように、歯ブラシ又は歯ブラシ上のヘッドと共に特定の化学物質を利用するように、ブラッシング後に特定の化学物質を利用するように、ブラッシング前に特定の化学物質を利用するように、及び／又は追加の口腔衛生手順、例えばフロスによる歯間掃除を行うように、ユーザーに指示できる。
【００２２】
いくつかの実施形態では、ディスプレイ２０は、一人のユーザー又は複数のユーザーの歯磨きレジメンデータを保存するように構成される。保存されたデータから、ディスプレイ２０は、実施される特定の機能、利用される特定の化学物質、特定の口腔衛生工程、特定の口腔衛生製品、及び／又はその他同類のものを推奨することができる。例えば、ユーザーが所定の期間、例えば１週間フロスによる歯間掃除を行わなかった場合、ディスプレイ２０はユーザーにフロスによる歯間掃除をするように知らせてよい。別の例として、ユーザーが所定の期間、例えば２週間内にホワイトニング機能を実行しなかった場合、ディスプレイ２０は、ホワイトニング用歯磨剤、ホワイトニング用リンス、ホワイトニング用ストリップ、及び／又は歯ブラシ３５のホワイトニング／つや出し機能を利用するようユーザーに知らせてよい。
【００２３】
次の条件、すなわち、（１）小さすぎる力が加えられている、（２）大きすぎる力が加えられている、又は（３）十分な力が加えられている、のうち１つに相当する信号をユーザーに提供するように、ディスプレイ２０を構成してよい。更に別の例として、次の条件、すなわち、（１）小さすぎる力が加えられている、（２）大きすぎる力が加えられている、及び／又は（３）十分な力が加えられている、から選択される信号をユーザーに提供するように、出力信号要素３０を構成できる。かかる実施形態では、次の条件、すなわち、（１）小さすぎる力が加えられている、（２）大きすぎる力が加えられている、及び／又は（３）十分な力が加えられている、のそれぞれの信号をユーザーに提供するために、出力信号要素３０を構成できる。ユーザーに提供され得る信号の別の想到される条件として、十分な力の許容限度が挙げられる。例えば、十分な力の範囲の上限及び下限をユーザーに伝えることができる。かかる例では、十分な力の範囲の下限及び／又は十分な力の範囲の上限を、ユーザーに伝えることができる。この点において、ユーザーにある程度の柔軟性を持たせるように、十分な力範囲を策定できる。
【００２４】
上記の条件を評価しようとする場合、いくつかの事項が考慮され得る。例えば、口腔内感触、洗浄効力などである。口腔内感触に関して、例えば、非常に柔らかいクリーニング要素を含む口腔ケア用具は一般に、硬いクリーニング要素を有する口腔ケア用具よりも大きい力において、ユーザーに対して快適な口腔内感触を提供できる。別の例として、エラストマー材を含むクリーニング要素は、ユーザーに対してより快適であり得、したがって、ユーザーの快適性を保ったまま、ブラッシング中に加えられる力をより大きくすることができる。効力に関して、米国特許第５，７２２，１０６号、同第５，８３６，７６９号、同第６，０５８，５４１号、同第６，０１８，８４０号、米国特許公開第２００６／００８０７９４号、同第２００６／０２７２１１２号、及び同第２００７／０２５１０４０号に記載されるような表面特徴を有するクリーニング要素は、滑らかな表面特徴を有するクリーニング要素と比較するとき、十分な洗浄／歯垢除去をもたらすためにブラッシング中に必要とする力はより小さくすることができる。
【００２５】
考慮され得る別の事項として、臨床的安全性が挙げられる。例えば、消費者に良好な口腔内感触を提供する力は、歯肉の炎症、歯肉の退縮、及び／又は歯のエナメル質の摩耗の原因になる場合がある。
【００２６】
上記の事項、例えば口腔内感触、洗浄効力、臨床的安全性に影響を与え得る様々な変数がある。例えば、ユーザーは、電動歯ブラシの利用中に特定のブラッシング力を、及び手動歯ブラシの利用中に異なる力を与え得る。別の例として、クリーニング要素の長さ、クリーニング要素の断面形状、例えば直径、曲げ特性などがある。上記の事項に影響し得る多くの変数のため、消費者テスト、臨床テスト、及び／又はロボットテストを利用し、（１）加えられる力が小さすぎる、（２）加えられる力が大きすぎる、及び／又は（３）加えられる力が十分である値；快適な口腔内感触、洗浄効力、及び臨床的安全性を依然として提供できる（４）加えられる十分な力範囲の下限、及び／又は（５）加えられる十分な力範囲の上限の値を、実験的に決定することができる。
【００２７】
消費者テスト及び／又は臨床テストは、特定のブラシに関する十分な力の許容度の妥当な上限値及び／又は特定のブラシに関する十分な力の許容度の妥当な下限値について、一定の見識を提供できる。一般に、消費者は特定の歯ブラシを試し、ブラッシング中に所定の力を加え得る。ブラッシング後、消費者は質問され、口腔内のブラシの感触について意見を提供することができる。加えて、ブラッシング前、次いでブラッシング後に、消費者の口腔の歯垢を調べることができる。特定の力における有効性を判定するため、ブラッシング前及び後の比較を行うことができる。更に、十分な力の範囲の上限において臨床テストを実施し、この力において歯肉の炎症、歯肉の退縮、及び／又は歯のエナメル質の摩耗が起こるかを判定できる。
【００２８】
同様に、ロボットテストを利用し、ある力における特定のブラシの効力を決定してよい。ロボットテストでは一般に、口腔模型の歯全体にブラッシングするように歯ブラシを動かすロボットアームにより、歯ブラシが操作される。一般には、模型の歯は、当該技術分野において周知である人工歯垢で覆われる。ロボットアームは、模擬実験中、歯ブラシに所定の力を加えることができる。模擬実験後、ブラッシング前及びブラッシング後の歯垢分析を比較できる。前後の歯垢分析から、洗浄／効力を決定できる。繰り返し行い、任意のクリーニング要素／マッサージ要素の形状について、十分な力範囲の下限値を決定できる。
【００２９】
消費者テスト、臨床テスト、及びロボットテストはそれぞれ、これらの条件、すなわち、（１）加えられる力が小さすぎる、（２）加えられる力が大きすぎる、及び／又は（３）加えられる力が十分である；快適な口腔内感触並びに洗浄効力を依然として提供できる（４）加えられる十分な力範囲の下限、及び／又は（５）加えられる十分な力範囲の上限に関する力の値について、有用な情報を提供できる。各機能、例えば洗浄、つや出し、歯肉マッサージ、歯石除去、抗菌、ホワイトニング、これらの組み合わせについて、同様の検討を行う。各機能に対する効力の判定は変わり得るが、機能にかかわらず、結果を解析して上記各条件について妥当な値を実験的に決定できる。
【００３０】
いくつかの実施形態では、大きすぎる力の値は、約１ニュートン以上、１．２５ニュートン以上、１．５ニュートン以上、１．７５ニュートン以上、２．００ニュートン以上、２．１０ニュートン以上、２．２０ニュートン以上、２．３０ニュートン以上、２．４０ニュートン以上、２．５０ニュートン以上、２．６０ニュートン以上、２．７５ニュートン以上、２．８５ニュートン以上、約３．００ニュートン以上、約３．５０ニュートン以上、約３．７５ニュートン以上、約４．００ニュートン以上、約４．２５ニュートン以上、約４．５０ニュートン以上、約４．７５ニュートン以上、約５．００ニュートン以上、約５．２５ニュートン以上、約５．５０ニュートン以上、約５．７５ニュートン以上、又は約６．００ニュートン以上であってよい。いくつかの実施形態では、加えられる小さすぎる力の値は、約５．００ニュートン以下、約４．７５ニュートン以下、約４．５ニュートン以下、約４．２５ニュートン以下、約４．００ニュートン以下、約３．７５ニュートン以下、約３．５ニュートン以下、約３．２５ニュートン以下、約３．００ニュートン以下、約２．７５ニュートン以下、約２．５０ニュートン以下、約２．２５ニュートン以下、約２．００ニュートン以下、約１．７５ニュートン以下、約１．５０ニュートン以下、約１．２５ニュートン以下、約１．００ニュートン以下、約０．７５ニュートン以下、又は約０．５０ニュートン以下であってよい。いくつかの実施形態では、十分な力範囲の下限、十分な力範囲の上限、及び／又は十分な力範囲の値は、大きすぎる力及び／又は小さすぎる力条件について上で述べた任意の値から選択してよい。
【００３１】
ディスプレイ２０は他の口腔ケア製品と共に利用してよい。例えば、ディスプレイ２０は同様に、手動歯ブラシと共に使用して、所望の機能に関して同様の情報をユーザーに提供できる。加えて、ディスプレイ２０は他のパーソナル衛生製品と共に利用してよい。例えば、ディスプレイ２０は、特定のスキンケア製品又はスキンケア製品の組み合わせの利用に関して、ユーザーに情報を提供してよい。別の例として、ディスプレイ２０は、シャンプー、コンディショナー、着色剤、及び／又は同様のものなどの特定のヘアケア製品又はヘアケア製品の組み合わせの利用に関して、ユーザーに情報を提供してよい。更に別の例として、ディスプレイ２０は、ボディソープ、石鹸、ローション、制汗剤、デオドラント、及び／又はこれらの組み合わせの利用に関して、ユーザーに情報を提供してよい。更に別の例として、ディスプレイ２０は、剃毛製品、例えばかみそり、シェーバー、シェービングジェル、シェービングローション、アフターシェーブ剤、及び／又はこれらの組み合わせの利用に関して、情報を提供してよい。
【００３２】
また、ディスプレイは、口腔ケアレジメン（例えば、歯磨きサイクル）、例えば、ブラッシング時間、歯１本あたりのブラッシング時間、推奨されるブラッシング位置、使用法若しくはケアレジメン、又はブラッシングレジメンを完了した際の褒賞、十分な力範囲で行われた歯磨きサイクルの時間量、及び／又は、日常の口腔ケア製品の通知（例えば、フロスによる歯間掃除又はリンスの使用の通知）などに限定されない１つ以上の特性に関する情報も表示できる。例として、２分間の歯磨きサイクルでは、ディスプレイ２０は、ユーザーが歯磨きサイクル中において十分な力を加えている時間の割合を、ユーザーに対して提供できる。ディスプレイ２０は、例えば洗浄、つや出し、歯肉マッサージ、歯石除去、抗菌、ホワイトニング、これらの組み合わせなど、選択された機能にかかわらず、これらの情報を提供できる。
【００３３】
十分な力範囲で行われた歯磨きサイクルの時間量に対して褒賞を提供してよい。例えばユーザーが、総ブラッシングサイクルの５０パーセントを超えて十分な力範囲内の力を歯磨きサイクル中において加える場合、ユーザーに褒賞を提供してよい。いくつかの実施形態では、ユーザーが、歯磨きサイクルの総時間の約５５パーセント以上、６０パーセント以上、６５パーセント以上、７０パーセント以上、７５パーセント以上、８０パーセント以上、８５パーセント以上、９０パーセント以上、９５パーセント以上、及び／又は１００パーセント以上の間、十分な力範囲内の力を加える場合、ユーザーに褒賞を提供してよい。
【００３４】
いくつかの実施形態では、ディスプレイ２０は、所定の期間中、特定のユーザー又は複数のユーザーの口腔ケア習慣をモニターするよう構成されてよい。所定の期間には、２回以上の定型的口腔ケアを含んでよい。例えば、ディスプレイ２０は、特定のユーザー及び／又は複数のユーザーを１週間モニターすることができる。１週間後、ディスプレイ２０は、複数回の定型的口腔ケアから収集したデータを処理し、特定のユーザー及び／又は複数のユーザーに対し、彼らのこの１週間の定型的口腔ケア法の実績に基づいてフィードバックすることができる。良質な定型的口腔ケア法を利用しているユーザーに対しては、ディスプレイで褒賞を提供してもよい。例えば、１人のユーザー又は複数人のユーザーが、所定の期間中、又は複数回の所定の期間、例えば複数週、１か月、複数月などにわたり、良質な定型的口腔ケア法を実践する場合、ディスプレイ２０又は着脱式メモリデバイスのいずれかを介して、このようなデータを保険業者に提供できる。このように良質な定型的口腔ケア法を実践していることで、１人のユーザー又は複数のユーザーを、歯科保険料の割引対象にすることができる。別の方法として又は保険料割引と共に、褒賞には、クーポン並びに／又は金銭及び／若しくはパーソナル衛生デバイスをＲｅｄ  Ｃｒｏｓｓ（登録商標）又は任意の他の慈善団体に寄付する選択肢を含んでもよい。
【００３５】
上述のように、ディスプレイ２０は、家族間、及び／又は複数の家族間、及び／又は複数のユーザー（例えば歯磨きネットワークのユーザー）間での比較に関する情報を提供できる。これにより、特定の家族／ユーザーで、褒賞を得るための競争が起こる場合がある。褒賞は本明細書に記載するものであってよい。
【００３６】
追加情報をディスプレイ上に表示してよい。かかる情報のいくつかの例は、２００８年１１月２０日出願の米国特許出願第６１／１１６，３２７号、名称「Ｐｅｒｓｏｎａｌ  Ｈｙｇｉｅｎｅ  Ｄｅｖｉｃｅｓ，Ｓｙｓｔｅｍｓ  ａｎｄ  Ｍｅｔｈｏｄｓ」に示されている。口腔ケアレジメンの特性は、誰がこのレジメンを実行するか、どのようにこのレジメンが実行されるのか、このレジメンでどの製品が使用されるのか、いつこのレジメンが実行されるのか、なぜこのレジメンが実行されるのか、このレジメンの効果、このレジメンに対するユーザーの認識若しくは満足度、褒賞、又はレジメン若しくはそのレジメンで用いられる製品に関するその他の情報に関連する任意の観点であってよい。
【００３７】
ディスプレイ２０はまた、電動歯ブラシ又は歯磨きサイクル／レジメンの特性に関連しない情報、例えば、日付／時間、カレンダー、気象情報、ジョーク（例えば、毎日の新ジョーク）、スポーツ情報、ニュース見出し、交通情報、株価、ディスプレイが音楽を流すためのスピーカーを含有する場合は音楽情報（例えば、放送音楽、並びにＭＰ３ファイルのような記憶された音楽）、及びマーケティング情報（例えば、電動歯ブラシの製造業者に関連する口腔ケア製品購入のためのクーポン又は他の口腔ケア製品に関する推奨）を表示することもできる。その他の情報の一例として、ＣＨＵＭＢＹ（登録商標）、Ｙａｈｏｏ（登録商標）、及び／又はＦｒａｍｅ  Ｃｈａｎｎｅｌ（登録商標）のサービス及び製品から提供される情報を挙げてよい。本明細書に記載される文字列、図形、画像、映像、アイコン、及び音声は、全体的に又は部分的にいずれかの組み合わせにおいて、ディスプレイ２０によって表示され得ることは、よく理解されるであろうが、１つの実施形態では、ディスプレイ２０は、電動歯ブラシ３５の複数の機能特性に関連する情報及び口腔ケア又は歯のブラッシングレジメンに関連する複数の特性に関連する情報を表示することができる。他の視覚又は音声情報が、いずれかの組み合わせにおいて置き換えられてもよく、又は提供されてもよい。
【００３８】
更に、画像に加えて音声もまた、単独で又は視覚情報との組み合わせにおいて、ディスプレイから流されるか、ないしは別の方法で伝達されることができ、そうした音声には、アラーム、音楽、音、音声信号、及び表示されるいずれかの映像又は画像に関連する音声が挙げられる。したがって、ディスプレイ２０は、ディスプレイと一体になった、又はディスプレイとは別の１つ以上のスピーカーを含んでよい。ディスプレイは、本発明に関して提供される必要はなく、いくつかの実施形態では、ディスプレイは、スピーカーのみを有するがディスプレイを有しない装置と取り替えることができる。この音声装置は、しかしながら、ディスプレイについて本明細書に記載されるのと同じ方式のいずれかにより据え付けられることができる。この装置は、ディスプレイ２０に関して本明細書に記載されるのと同じ方式により、１つ以上のパーソナルケア製品にデータリンクによって接続され得る。
【００３９】
本発明に関して多様なパーソナルケア製品が使用できるが、論議を容易にするために、本発明は、以後１つ以上の口腔ケア製品に関して一般に記載されるが、その説明及び本発明の様々な機構は、例えばかみそり及び／又は歯ブラシなど、いずれのパーソナルケア製品又は複数の製品に関しても使用できることはよく理解されるであろう。
【００４０】
図２を参照すると、口腔ケアシステム３０は、電動歯ブラシ３５と、電動歯ブラシ３５を受容するための基部４０と、電動歯ブラシ３５の消費者による使用前、使用中、及び／又は使用後に電動歯ブラシ３５及び／又は基部４０と連続的に及び／又は断続的にデータ通信する、視覚及び／又は音声ディスプレイ４５と、を含む。多種多様の電動歯ブラシが、本発明に関して使用され得る。図２に例示される電動歯ブラシは、モーター３７及びモーター３７と電気的に連絡しているエネルギー源３９を含む。モーターは、毛ホルダーの１つ以上を動かすために、ヘッド９０の上に配置された１つ以上の可動毛ホルダー９２に作動的に連結される。毛ホルダーは、回転、発振、並進、振動でき、又はこれらの組み合わせである動きをすることできる。毛ホルダーの毛（又は他の構成要素）が劣化したときにヘッド９０を取り外し及び取り替えることができるように、ヘッド９０は取り外し可能なヘッドとして提供され得る。モーターを毛ホルダーに作動的に連結する（ないしは別の方法で１つ以上の毛ホルダー若しくはヘッドを動かす）ための駆動システム、毛ホルダー上で用いるクリーニング要素の種類、取り外し可能なヘッドで用いる好適な構造、毛ホルダーの動き、その他構造用構成要素及び機構、並びに電動歯ブラシの動作的又は機能的特色又は特性の例を含む本発明で使用できる電動歯ブラシのいくつかの例は、米国特許第４，８０２，２５５号、同第５，５７７，２８５号、同第５，３１１，６３３号、同第５，２８９，６０４号、同第５，７２２，１０６号、同第５，７４２，９７２号、同第５，９７４，６１５号、同第５，８３６，７６９号、同第５，３１３，９０９号、同第５，９０６，８３４号、同第５，９２６，８９７号、同第５，９３０，８５８号、同第５，９４３，７２３号、同第６，６４８，６４１号、及び同第６，０５８，５４１号、同第６，０１８，８４０号、同第６，１５１，７４５号、同第６，４５３，４９７号、同第６，４７５，５５３号、同第６，９９３，８０４号、同第７，０８６，１１１号、同第７，２０７，０８０号、同第７，０２４，７１７号、又は米国特許公開第２００２／０１２９４５４号、同第２００２／０１３８９２６号、同第２００５／０００００４４号、同第２００３／０１０１５２６号、同第２００３／０１５４５６７号、同第２００３／０１６３８８１号、同第２００５／０２３５４３９号、同第２００５／００５０６５８号、同第２００５／００５０６５９号、同第２００５／００５３８９５号、同第２００５／００６６４５９号、同第２００４／０１５４１１２号、同第２００４／０２３１０７８号、同第２００６／０１３７１１８号、同第２００６／０２８８５０５号、同第２００６／０２５４００６号、同第２００６／００４８３１５号、同第２００６／０１９１０８５号、同第２００６／０１８５１０５号、同第２００５／００６０８２２号、同第２００５／０１５５１６７号、同第２００５／０００００４３号、同第２００６／００８０７９４号、同第２００６／０２７２１１２号、同第２００５／００８０５０号、又は国際公開第１９９４／０９６７７号に開示されており、これらは全て参照することによりその全体が本明細書に組み込まれる。
【００４１】
同様に手動歯ブラシを本発明で用いてよい。上記参照することにより組み込まれると記載されるクリーニング要素の形状並びに構成要素を、手動歯ブラシで利用できる。
【００４２】
基部４０は、電動歯ブラシ３５内の電池などの電源を再充電するために使用され得る。基部４０は、複数の電動歯ブラシ、又は手動歯ブラシのような他の口腔ケア製品、電動歯ブラシ３５の装備品（例えば複数のヘッド若しくは他の付属品）、及び／又は他のパーソナルケア製品を受容するように構成され得る。基部４０は、電源コードによりＡＣコンセントのような外部電源（図示されず）に連結され得る。
【００４３】
ディスプレイ４５は、ハウジング４９内に配置されたスクリーン４７を含む。スクリーン４７は、液晶（ＬＣ）スクリーンとして提供され得る。任意の好適なスクリーンを利用できる。
【００４４】
図２Ｂに示されるように、基部４０及びディスプレイ４５が互いに一体となる実施形態が想到される。例えば、基部４０はディスプレイ４５を含んでよい。ディスプレイ４５は、任意の好適な位置で基部４０に提供され得る。例えば便宜上、ディスプレイ４５を基部４０の上部に取り付けてよい。ユーザーがディスプレイ４５の画角を調整できるように、ディスプレイ４５が基部４０に旋回可能に接続される実施形態が想到される。ディスプレイ４５が基部４０から別の方法で取り外し可能な、更に別の実施形態が想到される。かかる実施形態では、ディスプレイ４５が基部４０上及び／又は近くに置かれるとき、基部４０がディスプレイ４５を再充電するよう構成されてよい。
【００４５】
基部４０に置かれた時点で、歯ブラシ３５を再充電するため歯ブラシ３５にエネルギーが供給されるように、基部４０は再充電能を有してよい。いくつかの実施形態では、基部４０は、複数の電動歯ブラシ３５及び３５Ａ、並びに／又は手動歯ブラシ３７が基部４０内に配置できるような大きさである。複数の電動歯ブラシがある場合は、複数の電動歯ブラシに対応できるよう基部４０の再充電能を適切に設計できる。電動歯ブラシ及び／又は電動シェーバー、電動かみそり、又は他の電子デバイスの組み合わせが基部４０に再充電される、追加的な実施形態が想到される。いくつかの実施形態では、他のデバイスを同様に再充電できるように、基部４０は電源コンセント２１０又は複数の電源コンセントを含んでよい。例えば、ユーザーは、携帯電話又は他のいくつかの個人用通信デバイスを再充電スタンドに接続してよい。再充電スタンドをいくつかの電子デバイスに対応する大きさにすることにより、再充電スタンドを置くのに必要なバスルームカウンターのスペースを、複数のデバイスのそれぞれの充電装置のいくつかにより必要とされるバスルームカウンターのスペースと比べて小さくできる。
【００４６】
いくつかの実施形態では、基部４０は、送電により電気装置を再充電してよい。例えば、基部４０は特定の周波数を送信でき、一方デバイスはその周波数及び／又は周囲周波数を受信し、その周波数を動力に変換するよう構成されてよい。このような伝送、受信、及び変換システムは、２００８年４月１５日に出願された米国特許出願第１２／１０２８８１号、名称「Ｐｅｒｓｏｎａｌ  Ｃａｒｅ  Ｐｒｏｄｕｃｔｓ  ａｎｄ  Ｍｅｔｈｏｄｓ」に記載されている。
【００４７】
基部４０が複数の充電領域を含む実施形態が想到される。例えば、基部４０は、パーソナル衛生器具、例えば歯ブラシ、かみそり、及び／又は同様のものを充電するために利用できる第１領域、一方別の電化製品、例えば個人用通信デバイスを充電するために利用できる第２領域を含んでよい。異なる領域はそれぞれ、異なる充電機構を利用してよい。例えば、第１領域は誘導充電を利用し、一方第２領域は接触充電を利用してよく、又はその逆でもよい。あるいは、第１領域及び第２領域のそれぞれが、任意の好適な充電機構、又はその組み合わせを利用してよい。基部４０は、任意のデバイスを任意の好適な方式で再充電できる。例えば、誘導充電、接触充電、例えば無線周波数の送信、又は誘導接触充電及び送信充電の組み合わせである。基部４０は、基部４０がディスプレイ４５を含むかどうかにはかかわらず、上述のように構成されてよい。
【００４８】
口腔ケアシステム３０は、ディスプレイ４５と電動歯ブラシ３５及び／又は基部４０との間のデータ通信を実施するために、単独で又は組み合わせによる多様な配置を使用することができる。１つの実施形態では、歯ブラシ３５及び／又は基部４０は、ディスプレイ４５と、無線データリンク５５を介して無線通信する。無線データリンク５５は、好適な短距離無線周波数通信技術、例えばブルートゥース（Bluetooth）、ワイファイ（WiFi）（８０２．１１系若しくは同様なもの）又は無線周波数リンクの別のタイプ、例えば２．４ＧＨｚでの無線ＵＳＢに基づいていてもよい。無線伝送のため、電動歯ブラシ３５、基部４０、スリーブ６０（図３参照）、及び／又はディスプレイ４５中に配置されるプリント基板（ＰＣＢ）上に、アンテナが実装され得る。
【００４９】
赤外線（ＩＲ）送信については、１つ以上のＩＲ送信機ダイオードが、電動歯ブラシ３５、基部４０、スリーブ６０、及び／又はディスプレイ４５の中に実装され得る。本発明に関して使用するのに好適なＩＲ波長は、３６ＫＨｚで変調された９５０ｎｍである。他の無線データ通信技術、例えば、無線周波数伝送又はセルラー伝送などを使用できる。いくつかの実施形態では、複数の口腔ケア製品が、前述のように、電動歯ブラシ３５、基部４０、及び／又はディスプレイ４５とデータ通信してもよい。ディスプレイ４５、基部４０、電動歯ブラシ３５、及び／又はいずれかの他のパーソナルケア製品間のデータ転送は、片方向及び／若しくは双方向、連続的及び／若しくは断続的、変調された、又は前述のもののいずれかの組み合わせであり得る。前述のように、ディスプレイ４５は、１つ以上のタイプのデータ通信方法（例えば、ＩＰ無線通信、有線など）を使用して通信するように構成され得、同じディスプレイ４５が、異なるパーソナルケア製品に関して異なるタイプのデータ通信を用いることもできる。
【００５０】
前述のように、ディスプレイ４５（図１の項目２０）を任意の好適な方式で実装できる。例えば、図３に見られるように、ディスプレイ４５は、表面への取り付けのために、スリーブ６０などの据え付け構造体内に摺動可能に受容されることができる。接着剤、スナップ嵌め、ベルクロ（Velcro）のようなフック・ループ式ファスナーなどが挙げられるがこれらに限定されない、他の取り付け手段が可能である。
【００５１】
上記のように、ディスプレイ４５は多様な情報を提供するように操作可能であってよく、情報の提供とは、パーソナルケア情報、１つ以上のパーソナルケア製品１５に関するパーソナルケア情報、パーソナル衛生情報、娯楽、マルチメディア（例えば、音楽、映像、テレビ番組、ビデオクリップなど）、データ、統計値、インターネットコンテンツ（例えば、ウェブカム、ソーシャルネットワーク、オークション、メディアプログラム及びメディア情報など）、アラーム、時間、日付、予定表、ニュース、気象、マーケット及び／若しくは株式データ、並びに／又は任意のその他情報若しくはコンテンツに関する、視覚情報を表示すること、及び／又は聴覚情報データを送達すること（すなわちスピーカーを介して再生すること）を含むが、これらに限定されない。当然のことながら、ディスプレイ４５は、他のデバイスへ及び他のデバイスから情報及び／又はデータを受信及び／又は送信するように操作可能であってもよい。
【００５２】
またディスプレイ４５は、音声を単独で又は視覚情報と共に伝送する音響装置、例えば１つ以上のスピーカーを含んでもよい。ディスプレイ４５は、以後、画像、アイコン、文字列、図形、又は映像などの視覚情報を表示するためのスクリーン４７を備えるものとして記載されるが、前述のように、視覚情報を表示するためのスクリーンを有しない音声装置に置き換えられることが想到される。
【００５３】
図４に示されるように、電動歯ブラシ３５、ディスプレイ４５、及び／又は基部４０は、メモリ６４（又は複数の記憶装置）とデータ通信するプロセッサ６２又は複数のプロセッサを含むことができる。プロセッサ６２は、汎用プロセッサ、特定用途向けプロセッサ若しくは回路チップ、マイクロプロセッサ、又は前述のものの１つ以上の組み合わせであってもよい。メモリ６４は多様な情報を記憶してもよく、それには、いずれかのパーソナルケア情報、娯楽情報、又はいずれかの他の有用な情報が挙げられ、それは口腔ケア分析（以下に更に論議される）に関連するデータを含む。メモリ６４はまた制御演算装置６２のオペレーションに作用するプログラムコード又は命令を含有してもよい。メモリは、更に、記憶された又はキャッシュされた娯楽情報、例えばＭＰ３ファイル、映像／図形などを含有してもよい。メモリ６４は、消去可能／書き込み可能な不揮発性メモリ、例えばフラッシュメモリ、動的な揮発性メモリ、若しくは取り外し可能なメモリ媒体を含む他の好適なメモリ、及び／又はこれらの組み合わせであってもよい。プロセッサ６２は、様々なユーザーインターフェースのデバイス、例えば、スクリーン４７、スクリーン４７及び／若しくはスリーブ６０（図３に示される）に付随するボタン６６（図３に示される）、並びに／又はスクリーン４７に付随するスピーカー６８などに連結することができる。モデム、送受信機、又は他の好適な通信装置６９が、プロセッサ６２をネットワーク、放送源などに連結することができる。
【００５４】
図３を再度参照すると、上述した様々な構成要素は、スリーブ６０、ディスプレイ４５、基部４０、及び／又は電動歯ブラシ３５の間に配置されてよい。あるいは、１つ以上の構成要素を、スリーブ６０、ディスプレイ４５、基部４０、又は電動歯ブラシ３５のうちの１つの中に配置される単一回路基板上に組み合わせることができる。プロセッサ６２（図４に示される）は、電動歯ブラシ３５の使用の結果として自動的に活動を開始してもよい。例えば、基部４０から歯ブラシ３５を取り外すと、基部４０とディスプレイ４５との間の通信を開始し、口腔ケア活動に関与する情報及びデータの表示、伝送、受信、及び／又は追跡を始めてよい。あるいは、歯ブラシ３５の通電、又はその機構の起動が、ディスプレイ４５上の情報及びデータの表示、伝送、受信、及び／又は追跡の要因となり得る。なお更に代替的なものは、ユーザーが、ユーザーインターフェース、例えばボタン６６、又はスクリーン４７がタッチスクリーンとして構成される場合にはスクリーン４７を介して、作動を選択し開始する又は情報を表示できるようにする。口腔ケアシステム３０はまた、情報の表示を選択及び開始するための音声命令に対して応答するように構成され得る。上記の様々な組み合わせも想到される。例えば、ボタン６６、タッチスクリーン、及び／又は音声命令機能の組み合わせを実行してよい。更に別の例として、スタイラスを利用してディスプレイ４５と対話してもよい。更に別の例として、ディスプレイ４５と対話するためのスタイラスとして作用するように、ブラシを構成してよい。更に別の例として、ディスプレイ４５を操作／対話するリモコンとしてブラシを構成してよい。
【００５５】
プロセッサ６２（図４に示される）は、一連の命令及び／又はセットアップアプリケーションを実行するように構成されてよい。セットアップアプリケーションは、例えば、時計又はカレンダーを設定するために、口腔ケアシステム３０（図２Ａ及び２Ｂに示される）をネットワーク又は他のデータ源に連結するためなどに使用され得る。その上、セットアップアプリケーションは、ユーザーが、図形の主題及び画像、色、音、メッセージなどを選択できるように、並びに口腔ケアシステム３０（図２Ａ及び２Ｂに示される）又はディスプレイ４５と対話してもよい複数の異なるユーザーを規定できるようにしてもよく、複数の異なるユーザーは、各々が独自の図形の主題又は画像、色、音などを有する可能性がある。
【００５６】
プロセッサ６２はまた、センサ、ユーザー、又はパーソナルケア製品からの入力であるパーソナルケア情報の１つ以上の分析に関連する一連の命令を実行するように構成されてもよい。例えば、ブラッシング時間、口腔ケアレジメン、及び／又は習慣の分析（例えば、平均ブラッシング長さ、日中又は夜の歯磨き習慣などを決定する）が行われてもよい。
【００５７】
更に図３に関して、前述のように、ディスプレイ４５は、それを壁若しくは鏡などの表面に据え付けできるようにする、又はカウンターなどの表面上に定置できるようにする、任意の好適な据え付け構造体と共に使用され得る。表面は、水平でも、垂直でも、又は垂直に対してある角度を成していてもよい。１つの実施形態では、例えば図３に示されるように、スリーブ６０が、ディスプレイ４５を摺動可能に受容するために提供され得る。スリーブ６０は、接着剤、ネジ又は任意のその他好適なファスナーを使用して表面に据え付けられ得る。更に、スリーブ６０は、ディスプレイ４５及び／又はスリーブ６０が、回転する、ある角度で曲がる、又はユーザーの方に伸びることができるように関節構造を有する旋回構造体を含んでもよい。ボール及びソケット構造体は、旋回運動を提供するために使用できる１つの手段である。図５に例示される代替的な据え付け配置は、ディスプレイ４５がその上に位置付けられる、直立スタンド７０を含む。ディスプレイ４５は、スタンド７０に対して固定されてもよいし、又はスタンドの上に固定用取り付け具なしに置かれてもよい。スタンド７０は、ディスプレイ４５のユーザーに対する位置及び／又は角度の調整を可能にするために、旋回する、回転する、関節で動く、又は他の位置調整運動を提供してもよい。
【００５８】
図３を参照すると、ディスプレイ４５が、スリーブ６０内に受容される又はスリーブ６０に取り付けられるとき、スリーブ６０は、ディスプレイ４５のスクリーン４７をそれを通して見ることができる又はスクリーン４７にそれを通してアクセスできる開口部７１を有する。ディスプレイ４５は、ディスプレイ４５に電力を供給するために使用できる１つ以上の電池（図示せず）を取り替えるために必要なときには、取り外すことができる。ディスプレイ４５のための電源は、ディスプレイ４５のハウジング４９内に配置することができる。ボタン及び／又はスイッチ６６は、ディスプレイ４５の１つ以上の機能を制御する又は有効にするために、又はさもなければディスプレイ４５にデータ入力を提供するために、ディスプレイ４５の裏面８０（図６に示される）の上に設置することができる。あるいは、ボタンは、ディスプレイ４５の正面８５（図３に示される）の上、スリーブ６０（ディスプレイ４５と電気的に連絡することができる）の上に位置することができ、又はディスプレイ４５は、スクリーンを使用してデータを直接入力できるように、タッチスクリーンを組み込むこともできる。スクリーン４７がタッチセンサ式能力を備える場合、スクリーン４７は仮想ボタン及び選択機構を表示して、ユーザーの操作、制御、及びオプション選択を、ディスプレイ４５を通して直接作用できるようにしてもよい。いくつかの実施形態では、ディスプレイ４５又はスリーブ６０へのデータ入力が、電動歯ブラシ３５（又は別のパーソナルケア製品）の機能又は動作を制御してもよい。例えば、ユーザーは、ディスプレイ４５及び／又はスリーブ６０への入力を提供してもよく、それは基部４０及び／又は電動歯ブラシ３５に送信されて電動歯ブラシ３５の動作を変化させる。他の実施形態では、ボタン又はスイッチ７５は、ディスプレイによって表示されるパラメータ、例えば、ディスプレイ４５により表示される時計又はカレンダーのための時間及び／又は日付を初期設定するために使用できる。
【００５９】
別の実施例では、ボタン又はスイッチ６６は、常夜灯機能を有効にしてもよく、スクリーン４７又はその一部分は、晩又は夜間に低レベルの光を生じる。常夜灯機能は、ディスプレイ４５、基部４０、又は電動歯ブラシ３５に関連する時計又はタイマーにより管理されてもよい。常夜灯機能は、電動歯ブラシ３５、基部４０、スリーブ６０、又はディスプレイ４５中に位置する運動センサによりバスルーム中の運動を検出することにより作動されてもよい。
【００６０】
図７を参照して、１つの実施形態では、電動歯ブラシ３５の１つ以上の特性に関連する表示可能な情報がこれから記載される。高いブラッシング圧力を示唆するために表示され得る圧力画像９８の例が、図７に示される。圧力センサ及び／又は力センサは、電動歯ブラシ３５のヘッド９０（図２に示される）、ネック９５、及び／又はハンドル１００に組み込まれ得る。本発明で用いるのに好適な圧力センサの例は、米国特許第７，１２０，９６０号に記載されており、参照することによりその全体が本明細書に組み込まれる。電動歯ブラシ３５又は基部４０は、圧力データをディスプレイ４５に送信することができる。ディスプレイ４５は、圧力データ（又は他の口腔ケア若しくはパーソナルケア情報）を、数字、英数字、文字列、画像、又は図形情報として表示することができる。あるいは、又は視覚情報との組み合わせにおいて、音声信号もまた発生されてもよい。例えば、音響信号は、一定のブラッシング圧力を超えたことをユーザーに警告してもよい。力センサの好適な例は、２００９年６月２６日に出願された米国特許出願第６１／２２０６２３号、名称「Ｐｒｅｓｓｕｒｅ  Ｉｎｄｉｃａｔｏｒ  ｆｏｒ  Ａｎ  Ｏｒａｌ  Ｃａｒｅ  Ｉｍｐｌｅｍｅｎｔ」に示される。
【００６１】
１つ以上のブラッシングモードに関連する情報がまた表示され得る。例えば、画像１３７は、基礎的なクリーニングモード、柔らかいブラッシングモード、マッサージモード、及びつや出しモードを示してもよい。動作ブラッシングモードは、ユーザーが入力をいずれかのユーザー入力装置を介して、電動歯ブラシ３５、基部４０、ディスプレイ４５、又はスリーブ６０に提供することにより、選択され得る。あるいは、ディスプレイ４５は、用いるヘッドの種類に基づき、歯ブラシ３５（図２に示される）の適切なモードを決定するように構成されてよい。例えば、ヘッド９０及び／又はネック９５は、識別要素、例えばＲＦＩＤタグを含んでよい。ディスプレイ４５は、ＲＦＩＤタグの検出に基づき、ヘッド９０及び／又はネック９５の種類を決定するように構成されてよい。ハンドルも同様に構成されてよい。その他好適な例は、米国特許第７，０８６，１１１号、同第７，２０７，０８０号、及び同第７，０２４，７１７号で詳述されている。
【００６２】
電動歯ブラシ３５及び／又はディスプレイ４５の充電は、それぞれ画像１３８及び１３９によって表されることができ、その結果ユーザーは、いつ電池の取り替えが必要となることがあるか、又はいつ電動歯ブラシ３５の充電が必要であるかを知ることになる。画像１４１はまた、ディスプレイ４５がデータを送信しているか又は受信しているかを示すために提供され得る。１つ以上の画像１５３は、ブラシヘッドなど口腔ケアシステムの構成要素の取り替えがいつ必要であるかを示すために使用されてもよい。構成要素の残された耐用年数の量を示すデータも表示され得る。例えば、ディスプレイは、ブラシヘッドに残された耐用年数の百分率を表示してもよい（例えば、２５％又は５０％が表示されてもよい）。ディスプレイ４５によって生成されてもよい他の画像又は音声は、電動歯ブラシ３５の特定機能が開始したか又は停止したかの指示を含む。例えば、歯ブラシ３５（図２Ａ及び２Ｂに示される）が米国特許出願公開第２００５／００５３８９６号、同第２００５／００５３８９５号、同第２００５／００５３８９８号、及び同第２００５／００５５０６５９号（これらは全て参照することによりその全体が本明細書に組み込まれる）に記載されるようなＬＥＤを含む場合、ディスプレイは、ＬＥＤが点灯しているか若しくは消えているかのいずれか、又は点灯するか若しくは消えるまでに残っている時間を示す画像を表示してよい。別の例として、歯ブラシが米国特許第６，６４８，６４１号（参照することによりその全体が本明細書に組み込まれる）に記載されるような組成物を分与する場合、ディスプレイは、歯ブラシが組成物を分与しているのか若しくはしていないのかに関する情報、又はどの組成物が分与されているかについての識別を表示することができる。口腔ケア製品（この場合電動歯ブラシ）の画像１５９を提供することができ、電動歯ブラシ３５（図２Ａ及び２Ｂに示される）の特定機能が動作中であることを示すために画像１５９の部分１５５を動かすことができる（例えば、点滅する又は明るくなる）。１つの実施形態では、電動歯ブラシ３５（図２Ａ及び２Ｂに示される）に関するロゴ１５７を表示できる。
【００６３】
口腔ケアレジメンの１つ以上の特性に関連するディスプレイ４５上に表示され得る情報を、これから記載する。図７を参照すると、ユーザーがブラッシングしている口の領域を変えるようにユーザーを促すために、ディスプレイ４５は、視覚及び／又は音声信号を表示してもよい。例えば、ディスプレイ４５は、歯列の四分円のうち１つ以上を表す画像１０５を表示してよい。図７に見られるように、口腔の上顎歯列弓及び下顎歯列弓のうちの４つの四分円を表す、四分円１１０、１１５、１２０、及び１２５を表示できる。１つの実施形態では、四分円の各々は引き続いて点滅する及び／又は色を変えて、次の四分円に移動するべき時間を示してもよい。カウントアップする又はカウントダウンするタイマー１３０もまた包含され得、ディスプレイ４５は、ブラッシングサイクルに残っている時間の量を表示する。ブラッシングサイクルの時間は、予めプログラムされるか、又は口腔ケアシステム３０の構成要素に時間を入力することにより、ユーザーにより設定されるかのいずれかであってよい。上顎歯列弓及び／又は下顎歯列弓の画像が、それぞれ３つ以上の画像で表される実施形態が想到される。例えば、上顎歯列弓の描写に、口腔の左側の歯、口腔の右側の歯、及び前歯を表す３つの画像を含んでよい。同様に、下顎歯列弓の描写に、上顎歯列弓の画像の鏡像である３つ以上の画像を含んでよい。上顎歯列弓及び下顎歯列弓の歯を表すのに、更なる画像を含んでよい。
【００６４】
ブラッシングサイクルの完了時に、これは、タイマー１３０の期間満了及び／又は口腔の最後の四分円のブラッシングが完了したという指示（例えば、明るくなること、点滅すること、又は第４の四分円に関連する画像の色の変化）のいずれかにより伝えることができるが、ブラッシングレジメンが成功して完了したことを示すために、褒賞がユーザーに自動的に表示され得る。１つの実施形態では、ブラッシングレジメンの完了を示すために、笑顔１３５がブラッシング四分円内に表示され得る。褒賞は口腔ケアレジメンの完了を促進するために役立つことがある。褒賞は、特定の課題若しくはレジメンを完了しようという気持ちを奮起させようと意図する視覚及び／若しくは音声情報、又は課題の完了の際に見る及び／若しくは聞くのが望ましい、あるいは楽しいとユーザーが感じる視覚及び／若しくは音声情報を含むことができる。課題の完了を示唆するために褒賞を使用することができる、又は課題の完了は他の視覚及び／若しくは音声情報により示唆され得る。いくつかの実施形態では、ユーザーは、表示される褒賞の種類（例えば、画像）若しくは流されてもよい音声の種類を選択又は入力（例えば、ディスプレイ４５を介して）することができる。褒賞は、多様な方法で表示され得、画像１０５に関連していてもよく又は関連していなくてもよい。いくつかの実施形態では、褒賞はパーソナルケア製品と共に記憶されるデータとして（例えば、以下に論じられるように、メモリ６４又はＲＦＩＤタグの一部として）提供されることができ、パーソナルケア製品間で独特なものであってもよい。１つのパーソナルケア製品は、第１褒賞に関連するデータを記憶してもよく、一方で第２パーソナルケア製品は、第２の異なる褒賞に関連するデータを記憶する。褒賞は、パーソナルケア製品、その包装、又はそのマーケティング／広告の特性若しくはメッセージと一意的に関連する主題、標語、色、ロゴ、アイコン、画像、又は他の図形若しくは視覚的なものに関連し得る。例えば、レースカー（race care）の形状のハンドルを有する子供の歯ブラシは、カーレースに関連する視覚的な褒賞のためのデータを含有してもよい。ユーザーの関心を新たにする若しくは維持するために異なる褒賞が歯ブラシの各使用により表示され得るように又は異なる褒賞がユーザーにより選択可能であってもよいように、複数の褒賞のためのデータが、単一のパーソナルケア製品に関連し得る。
【００６５】
複数のカウントアップ及び／又はカウントダウンタイマーが、ディスプレイ４５上に表示されてもよい。いくつかの実施形態では、１、２、３、４、又は５つのタイマーが提供されてもよい。例えば、１つのタイマーが、全体の口腔ケアレジメンに関連する時間（例えば、２分間のうちどれだけの時間が残っているか）を表示してもよく、一方で第２タイマーは、口腔ケアレジメン内の１つ以上のサブレジメン又は歯ブラシ機能に関連する時間（例えば、レジメンの間に口腔を照らす光の持続時間はどれだけ残っているか、及び／又は歯ブラシからの組成物の分与にはどれだけの時間が残っているか）を表示してもよい。こうした表示の例は図８に示される。タイマーの１つ以上が、ディスプレイと電動歯ブラシとの間のデータ送信によるのではなく、むしろディスプレイのユーザーにより直接作動（例えば、ディスプレイ上のボタンによるなど）されてもよい。
【００６６】
別の実施形態では、ディスプレイは、口腔ケアレジメンの１つ以上の特性に関連する質問及び／又は情報を対話型で表示することができる。例えば、ディスプレイは、タッチスクリーン又はボタンを介してユーザーが選択できる１つ以上の質問及び１つ以上の答えを表示してもよい。質問は、１つ以上の口腔ケア又はブラッシングレジメンの開始時、その間、及び終了時に表示されてもよい。電動歯ブラシ３５の機能特性又は口腔ケアレジメンに関する情報は、１つ以上の質問に対する答えに依存して、自動的に変えられて又は調整されてもよい。例えば、質問は、ブラッシング体験が硬すぎるか又は柔らかすぎるかどうか尋ねてもよい。答えに応じて、電動歯ブラシの速度、振動数、力センサ、及び／若しくは圧力センサの限界値（すなわち、過剰の力及び／又は圧力が適用されたという警告が表示される値）が、自動的に調整されてもよく、又はタイマーについて表示される時間量が調整されてもよい。プロセッサ６２は、ユーザーからの入力に応じて、これらの変更を実施し得る。別の場合には、ディスプレイは、代替的製品に関する情報又は改善されたブラッシング体験を提供することができる電動歯ブラシ３５（又はその装備品）の使用に関する説明を表示してもよい。別の場合には、１つの質問に対する答えが第２の質問につながる場合がある。例えば、質問は、ユーザーがブラッシング体験に満足したかどうかを聞いてもよい。「いいえ」の答えは、１つ以上の対処質問、例えばユーザーが何らかの歯の過敏症を体験したかといった質問につながる場合がある。答えが「はい」である場合には、プロセッサ６２は、歯の過敏症を軽減するために、電動歯ブラシの動作又は特性についての１つ以上の変化を実施し得る（例えば、ブラシヘッドの動きの速度、振動数、振幅を変更する、異なるブラシヘッドを推奨する、及び／又は毛の構成を変更する）。メモリ６４は、命令、並びに質問、答え、及び質問の順序についてのアルゴリズムに関連するデータを記憶することができる。これらの命令及びデータは、口腔ケアシステムがネットワークに接続されている場合には、定期的に更新され得る。
【００６７】
電動歯ブラシ３５の特性、又は口腔ケアレジメンの特性に関連していない、ディスプレイ４５上に表示され得るいくつかの情報を、これから記載する。クーポン又は割引と引き換えできる（インターネットを介して又は店内で）クーポンコード（又は等価なもの）は、電動歯ブラシ３５の使用中の多様な時期に提供され得る。例えば、クーポンコードは、ブラッシングの所定期間後、又は歯ブラシヘッドのような構成要素が取り替えられるべきときに表示されてもよい。クーポンコードは、同じ製造業者からの複数の製品が使用されるとき又は口腔ケアレジメンの特定の特性が遂行された（例えば、２分などの最小の期間持続したブラッシングサイクルの所定の数が終了した）ときに表示され得る。他の情報、例えば、気象、音楽、ニュース、スポーツの成績、株価などが、ディスプレイ４５上への表示のために、口腔ケアシステムにストリーム配信することができる。
【００６８】
図９及び１１を参照すると、別の実施形態では、ディスプレイ４５及び／又はスリーブ６０は、口腔を照らすために１つ以上の光源１５５を組み込むことができる。光源の例には、発光ダイオード、レーザーダイオード、フラッシュランプ、及びいずれかの他の光又は電磁エネルギー源が挙げられる。光源は、ディスプレイ４５及び／又はスリーブ６０上に、一列で、ディスプレイ４５の縁部に沿って、又はそのいずれかの組み合わせを含む多様なパターンで配置され得る。光を所望のように拡散する又は集束するために、ディフューザー又はレンズが１つ以上の光源１５５の上に定置され得る。光のパターンの強度及び／又はサイズ／形状が、ユーザーの好みに依存して変えられるように、ディフューザー又はレンズは調整可能であり得る。別の実施形態では、光の強度は、強度を高める又は低めるために、１つ以上の光源１５５への電圧及び／又は電流を変更することにより変えることができる。電圧及び／又は電流は、１つ以上の光源１５５と電気的に連絡しているディスプレイ４５及び／又はスリーブ６０上に位置するスイッチ、ボタン、又はダイヤルにより変えることができる。
【００６９】
別の実施形態では、１つ以上の光源１５５が、スタンド１５８を有する装置１５７上に配置されてもよいが、図１０に示されるように、これはスクリーン４７を含まない。この実施形態では、光源１５５が口腔を照らすように、スクリーン４７は鏡１５９に取り替えられてもよく、装置１５７の鏡１５９が口腔を見るために使用され得る。鏡１５９がフィルターに通される実施形態が想到される。鏡及び光源のいくつかの好適な例は、２００８年５月２日に出願された米国特許出願第６１／０４９９０４号、名称「Ｐｒｏｄｕｃｔｓ  ａｎｄ  Ｍｅｔｈｏｄｓ  Ｆｏｒ  Ｄｉｓｃｌｏｓｉｎｇ  Ｃｏｎｄｉｔｉｏｎｓ  ｉｎ  ｔｈｅ  Ｏｒａｌ  Ｃａｖｉｔｙ」に記載される。
【００７０】
装置１５７は、多様な形状及びサイズで提供され得る。歯及び歯肉のような硬組織及び軟組織を含む口腔を最もよく照らす方式でユーザーが光源からの光を導くことができるように、装置１５７及び／又は１つ以上の光源は、回転又は旋回するように構成され得る。１つの実施形態では、複数の鏡が提供され得、鏡の１つは口腔からの反射を拡大して、その詳細な眺めを改善する。
【００７１】
１つの実施形態では、ディスプレイ４５又は装置１５７の１つ以上の光源１５５は、歯垢検出剤若しくは複数の歯垢検出剤を含む歯磨剤又はリンスのような口腔ケア組成物と共に使用され得る。歯垢検出剤は、口腔の１つ以上の疾患の視覚的な指示を観察者及び／又はユーザーに提供するために利用され得る。本明細書で使用するとき、語句「口腔の疾患」は、口腔内の歯垢、歯石、堆積物（debris）、歯のう触、バイオフィルム、軟組織異常、軟組織病巣などを指すために使用される。本明細書で使用するとき、語句「歯垢」及び「口腔内の歯垢」は、歯、歯肉組織、口腔内硬組織、及び／又は口腔内軟組織上に形成するバイオフィルムを指すために使用される。「歯垢細菌」は、歯垢の形成の原因となる細菌を意味する。
【００７２】
観察者及び／又はユーザーへの口腔の疾患の視覚的な指示は、観察者及び／又はユーザーが疾患を取り除く際に、又は専門家、例えば歯科医、口腔外科医などによって治療されるべき疾患を認識する際に役立ち得る。歯垢検出剤は、口腔の疾患と、口腔内の他の組織及び表面との間の視覚的な対照を提供することにより、口腔内の疾患を視覚的に示してもよい。例えば、歯垢検出剤は、ディスプレイ４５の光源１５５のようなエネルギー源からのエネルギーを歯垢検出剤が受けるときに、口腔の疾患の場所で歯垢検出剤が蛍光するように選択されてもよい。視覚的な対照を提供する他の例が以後に論じられる。具体的な例としては、歯垢検出剤は口腔に適用され、並びに残留する歯垢をユーザー及び／又は観察者に視覚的に強調する及び／又は示してもよい。
【００７３】
いくつかの実施形態では、波長の第１範囲で光のエネルギーを吸収し、それに応じて波長の第２範囲で光を放つ、いずれかの剤、物質、要素、化合物、又は組成物は、ここで意図される方式で使用するのにそれが安全である限り、好適な歯垢検出剤であり得る。いくつかの実施形態では、波長の第１範囲は、波長の第２範囲と異なってもよい。例えば、歯垢検出剤はフルオロフォアを含んでもよい。
【００７４】
好適な歯垢検出剤のいくつかの例には、フルオレセイン（fluoroscein）、ジブロモフルオレセイン（dibromofluoroscein）、トリブロモフルオレセイン（tribromofluoroscein）、テトラブロモフルオレセイン（tetrabromofluoroscein）、他のフルオレセイン誘導体（それらの塩を含む）、キサンテン、ピレン、例えば、ピラニン、Ｄ＆Ｃ青色１号、Ｄ＆Ｃ青色２号、Ｄ＆Ｃ緑色３号、Ｄ＆Ｃ赤色３号、Ｄ＆Ｃ赤色６号、Ｄ＆Ｃ赤色７号、Ｄ＆Ｃ赤色２１号、Ｄ＆Ｃ赤色２２号、Ｄ＆Ｃ赤色２７号、Ｄ＆Ｃ赤色２８号、Ｄ＆Ｃ赤色３３号、Ｄ＆Ｃ赤色４０号、Ｄ＆Ｃ黄色５号、Ｄ＆Ｃ黄色６号、Ｄ＆Ｃ黄色１０号、これらの組み合わせ、又は例えば、米国食品医薬品局（The United States Food and Drug Administration）などの監督官庁により薬品及び化粧品への使用が認可されているいずれかの他の染料が挙げられる。その他の好適な検出剤として、Ｉｎｖｉｔｒｏｇｅｎ  Ｃｏｒｐｏｒａｔｉｏｎ（Ｃａｒｌｓｂａｄ、Ｃａｌｉｆｏｒｎｉａ）から商標名Ａｌｅｘａｆｌｕｏｒ（商標）で販売される染料を挙げることができる。
【００７５】
歯垢検出剤がフルオロフォアを含む実施形態では、歯垢検出剤は、約３８０ｎｍ〜約７８０ｎｍの範囲、又はその範囲内のいずれかの個々の数値の波長を有する光源１５５からの電磁エネルギーに応えて歯垢検出剤が蛍光するように選択されてもよい。いくつかの実施形態では、検出剤は、約３８０ｎｍ超過、約３９０ｎｍ超過、約４００ｎｍ超過、約４１０ｎｍ超過、約４２０ｎｍ超過、約４３０ｎｍ超過、約４４０ｎｍ超過、約４５０ｎｍ超過、約４６０ｎｍ超過、約４７０ｎｍ超過、約４８０ｎｍ超過、約４９０ｎｍ超過、約５００ｎｍ超過、約５１０ｎｍ超過、約５２０ｎｍ超過、約５３０ｎｍ超過、約５４０ｎｍ超過、約５５０ｎｍ超過、約５６０ｎｍ超過、約５７０ｎｍ超過、約５８０ｎｍ超過、約５９０ｎｍ超過、約６００ｎｍ超過、約６１０ｎｍ超過、約６２０ｎｍ超過、約６３０ｎｍ超過、約６４０ｎｍ超過、約６５０ｎｍ超過、約６６０ｎｍ超過、約６７０ｎｍ超過、約６８０ｎｍ超過、約６９０ｎｍ超過、約７００ｎｍ超過、約７１０ｎｍ超過、約７２０ｎｍ超過、約７３０ｎｍ超過、約７４０ｎｍ超過、約７５０ｎｍ超過、約７６０ｎｍ超過、及び／又は約７８０ｎｍ未満、約７７０ｎｍ未満、約７６０ｎｍ未満、約７５０ｎｍ未満、約７４０ｎｍ未満、約７３０ｎｍ未満、約７２０ｎｍ未満、約７１０ｎｍ未満、約７００ｎｍ未満、約６９０ｎｍ未満、約６８０ｎｍ未満、約６７０ｎｍ未満、約６６０ｎｍ未満、約６５０ｎｍ未満、約６４０ｎｍ未満、約６３０ｎｍ未満、約６２０ｎｍ未満、約６１０ｎｍ未満、約６００ｎｍ未満、約５９０ｎｍ未満、約５８０ｎｍ未満、約５７０ｎｍ未満、約５６０ｎｍ未満、約５５０ｎｍ未満、約５４０ｎｍ未満、約５３０ｎｍ未満、約５２０ｎｍ未満、約５１０ｎｍ未満、約５００ｎｍ未満、約４９０ｎｍ未満、約４８０ｎｍ未満、約４７０ｎｍ未満、約４６０ｎｍ未満、約４５０ｎｍ未満、約４４０ｎｍ未満、約４３０ｎｍ未満、約４２０ｎｍ未満、約４１０ｎｍ未満、若しくは約４００ｎｍ未満の波長を有する電磁エネルギーに応じて、蛍光してよい。
【００７６】
いくつかの実施形態では、歯垢検出剤は、約４００ｎｍ〜約５３０ｎｍである波長を有する光源１５５からの電磁エネルギーに応えて蛍光してもよい。例えば、１つの具体的な実施形態では、歯垢検出剤は、約４７０ｎｍの波長を有する電磁エネルギーに応えて蛍光する。他の実施形態では、検出剤は、約４００ｎｍ〜約４４０ｎｍの波長を有する電磁エネルギーに応じて蛍光してよい。他の実施形態では、検出剤は、約４４０ｎｍ〜約５３０ｎｍの波長を有する電磁エネルギーに応じて蛍光してよい。更に、可視光線スペクトル外（例えば可視光線より長い波長若しくは短い波長、長い波長と短い波長の組み合わせ、並びに／又は長い波長、短い波長、及び可視スペクトルの組み合わせ）の波長を有する電磁エネルギーに応じて、検出剤が蛍光する実施形態が企図される。例えば、紫外線、例えば約３１５ｎｍ〜約４００ｎｍのＵＶＡ、約２８０ｎｍ〜約３１５ｎｍのＵＶＢ、及び／又は約２８０ｎｍ未満のＵＶＣに応じて、歯垢検出剤が蛍光する実施形態が想到される。
【００７７】
いくつかの実施形態では、歯垢検出剤は、約４００ｎｍ超過の波長を有する電磁エネルギーを放ってもよい。例えば、本発明に有用な歯垢検出剤は、約４１０ｎｍ超過、約４２０ｎｍ超過、約４３０ｎｍ超過、約４４０ｎｍ超過、約４５０ｎｍ超過、約４６０ｎｍ超過、約４７０ｎｍ超過、約４８０ｎｍ超過、約４９０ｎｍ超過、約５００ｎｍ超過、約５１０ｎｍ超過、約５２０ｎｍ超過、約５３０ｎｍ超過、約５４０ｎｍ超過、約５５０ｎｍ超過、約５６０ｎｍ超過、約５７０ｎｍ超過、約５８０ｎｍ超過、約５９０ｎｍ超過、約６００ｎｍ超過、約６１０ｎｍ超過、約６２０ｎｍ超過、約６３０ｎｍ超過、約６４０ｎｍ超過、約６５０ｎｍ超過、約６６０ｎｍ超過、約６７０ｎｍ超過、約６８０ｎｍ超過、約６９０ｎｍ超過、約７００ｎｍ超過、約７１０ｎｍ超過、約７２０ｎｍ超過、約７３０ｎｍ超過、約７４０ｎｍ超過、約７５０ｎｍ超過、約７６０ｎｍ超過、及び／又は約８００ｎｍ未満、約７８０ｎｍ未満、約７７０ｎｍ未満、約７６０ｎｍ未満、約７５０ｎｍ未満、約７４０ｎｍ未満、約７３０ｎｍ未満、約７２０ｎｍ未満、約７１０ｎｍ未満、約７００ｎｍ未満、約６９０ｎｍ未満、約６８０ｎｍ未満、約６７０ｎｍ未満、約６６０ｎｍ未満、約６５０ｎｍ未満、約６４０ｎｍ未満、約６３０ｎｍ未満、約６２０ｎｍ未満、約６１０ｎｍ未満、約６００ｎｍ未満、約５９０ｎｍ未満、約５８０ｎｍ未満、約５７０ｎｍ未満、約５６０ｎｍ未満、約５５０ｎｍ未満、約５４０ｎｍ未満、約５３０ｎｍ未満、約５２０ｎｍ未満、約５１０ｎｍ未満、約５００ｎｍ未満、約４９０ｎｍ未満、約４８０ｎｍ未満、約４７０ｎｍ未満、約４６０ｎｍ未満、約４５０ｎｍ未満、約４４０ｎｍ未満、約４３０ｎｍ未満、約４２０ｎｍ未満、若しくは約４１０ｎｍ未満である波長を有する電磁エネルギーを放ってもよい。
【００７８】
図１２を参照すると、口腔ケアシステム３０は、それ自体とネットワーク１６１との間で、データを通信するように更に適合されてもよく、ネットワーク１６１には、ローカルエリアネットワーク（ＬＡＮ）、広域ネットワーク（ＷＡＮ）、インターネットの部分、例えば、プライベートインターネット、セキュアインターネット、付加価値ネットワーク、仮想プライベートネットワーク、又はセルラーネットワークが挙げられる。口腔ケアシステム３０（歯ブラシ３５及び／又はディスプレイ４５を含む）は、無線又は信号線であってよいデータリンク１６３によりネットワーク１６１と通信できる。好適なネットワーククライアント１６５には、パーソナルコンピュータ、ノートパソコン、ワークステーション、切断可能なモバイルコンピュータ、メインフレーム、情報家電、携帯情報端末、並びに他の手持ち式及び／又は埋め込み式処理システムを挙げてもよい。ネットワーク１６１及びクライアント１６５への通信リンクをサポートする信号線には、ツイストペア、同軸、又は光ファイバーケーブル、電話線、衛星、マイクロ波中継装置、変調交流電源ライン（modulated AC power lines）、及び当業者に既知の他のデータ送信「ワイヤ」を挙げてもよい。更に信号は、８０２．１１規格のＩＥＥＥシリーズのような、いずれかの好適な無線伝送プロトコルを使用して、無線ネットワーク又は無線ＬＡＮ（ＷＬＡＮ）を通じて無線により転送されてもよい。特定の個々の及びネットワークコンピュータシステム及び構成要素が示されるが、当業者は、本発明がまた多様な他のネットワーク及びコンピュータとも連携することをよく理解するであろう。
【００７９】
図１３を参照すると、口腔ケアシステム３０、複数の口腔ケア製品１７０、１７５、１８０、及び１８３、並びに口腔ケアではないパーソナルケアシステム１８５が例示されている。口腔ケア製品１７０は、包装された口腔ケアリンス製品として例示されており、口腔ケア製品１７５は、包装された歯磨剤製品として例示されており、口腔ケア製品１８０は、手動歯ブラシ製品として例示されており、口腔ケア製品１８３は、包装された歯用ホワイトニング製品（例えば、米国特許第５，８９１，４５３号に開示され、参照することによりその全体が本明細書に組み込まれる）として例示されており、パーソナルケアシステム１８５は、基部１８９内に受容される電気かみそり１８７を含む。本発明で用いるのに好適なかみそりの例は、米国特許第６，５９４，９０４号、同第６，４４２，８３９号、同第６，２９８，５５９号、同第６，２９５，７３４号、同第６，２３７，２３２号、同第６，２１６，３４９号、同第６，２１２，７７７号、同第６，０４１，９２６号、同第５，７８７，５８６号、同第６，１９２，５８６号、同第６，１８５，８２２号、同第６，０５２，９０３号、同第６，８８９，４３８号、同第６，０２９，３５４号、及び同第６，１６１，２８７号、又は米国特許出願公開第２００６／０２００９９２号、同第２００５／１９８８４２号、同第２００６／００８０８３７号、同第２００６／００３２０５４号、同第２００６／００３２０５５号、同第２００６／００３７１０７号、及び同第２００６／００３２０５３号に開示されており、これらは全て参照することによりその全体が本明細書に組み込まれる。口腔ケア製品１７０、１７５、１８０、及び１８３は、それぞれデータリンク１９１、１９３、１９５、及び１９６を使用してディスプレイ４５と通信することができる。
【００８０】
パーソナルケアシステム１８５は、データリンク１９７を介してディスプレイ４５と通信することができる。論議を容易にするために、特定の製品が示されてきたが、多様な製品及びパーソナルケアシステムが置き換えられることが理解されるであろう。データリンクは、前述のように、無線であることも又は信号線を介することもできる。パーソナルケアシステム１８５及び製品１７０、１７５、１８０、１８３は前述のようにネットワークに接続していてもよい。よく理解されるであろうが、本発明は、内部電源を含む製品、並びに含まない製品、例えば包装されたリンス製品に関して使用するのに好適である。
【００８１】
前述のように、本発明の製品及びシステムは、システム／製品とディスプレイとの間で、データを、記憶する、送信する、及び／又は通信するための多様な方法及び装置を使用することができる。用語「データ」は、２つの装置又は構成要素の間で送信される又は通信されるいずれかの形態のいずれかのデジタル又はアナログ情報を指すことを意図する。データは、データ送信機により能動的に送信されるあらゆるデータ、及び／又はデータ読取機により受動的に検出されるデータを含んでもよい。通信されるデータがデジタルである場合、データは１及び０を含んでもよい。別の実施形態では、データは、１２３４５６７８などの一連の桁であることができ、その場合、各桁は、口腔ケアデバイスの特性に関する情報を表すことができる（例えば、手動歯ブラシの場合、第１桁は、分単位のブラッシング時間を表すことができ、第２桁は、ブラシを交換すべきときまでの月数を表すことができ、第３桁及び第４桁は、タイプ固有の褒賞などを表すことができる）。データは、情報を表す光学要素の配列（例えば、バーコード）を含んでもよい。データは、電磁エネルギー（例えば、磁場）などが存在する場合又は存在しない場合を含んでもよい。データは、プロセッサ６２により解釈又は解読されてもよい。例えばデータが、一連の数字、例えば１２３４５６７８である場合、プロセッサ６２及び／又は関連するメモリは、データがどんな情報を表しているかを決定するためにデータを解読する又は解釈できる一連の命令を含み得る。
【００８２】
データ送信機は、データをデータ読取機に能動的に送信する装置又は構成要素である。ＲＦＩＤタグは、データ送信機の例である。データ通信機は、データを能動的に送信してもしなくてもよいが、ただし検出することができるデータを有する装置又は構成要素である。ＲＦＩＤタグなどのデータ送信機は、一種のデータ通信機であるが、データ通信機はデータを必ずしも能動的に送信する必要はない。データ読取機によって検出されるか読み取られ得るデータを含み、ただしデータを能動的に送信しないデータ通信機の例は、バーコード（バーコード読取機がデータ読取機である場合）、スポットコード、若しくはホール効果磁石（ホール効果センサがデータ読取機である場合）である。したがって、理解されるように、「データ通信機」、「データ送信機」、及び「データ読取機」という用語は、データ通信機が存在することを単に検出することを含む、様々なアナログ若しくはデジタルデータの送信、通信、及び／又は検出のための多種多様な装置及び構成を包含することを意図する。語句「データ通信」は、データ読取機、データ送信機、データ通信機を含む本発明の装置により、データが送信、通信、及び／又は検出されてもよいすべての方法及び形態、並びにディスプレイ及び電動歯ブラシのような２つの構成要素間のデータ通信を包含することを意図する。
【００８３】
データ読取機は、多様なやり方で電動歯ブラシに関連することができる。例えば、データ読取機が、歯ブラシのハンドル、充電ステーション、分離したディスプレイ、又は他の分離した装置、歯ブラシスタンドなどの中に提供され得る。１つの実施形態では、データ通信機は、パーソナルケア製品とディスプレイ４５との間でデータを送信するために使用できる無線ＩＤタグ（ＲＦＩＤ）として提供され得る。当該技術分野において既知であるように、ＲＦＩＤタグは、符号化情報を含有する電子チップ、並びに電波を使用して情報又はデータ（チップによって記憶された情報を含む）を送信及び／又は受信するアンテナを含む。読取機は、ＲＦＩＤタグから送信されたデータを解読するために使用される。ＲＦＩＤタグは、内部電源なしに提供されてもよく、並びに読取機から着信する無線周波数信号によりアンテナ中に誘起された微小電流が、タグ中の集積回路に電力を供給し、読取機への応答を送信するために十分なだけの電力を提供する。ＲＦＩＤタグは、読み取り専用タグであることも又は読み取り／書き込みタグであることもできる。読み取り専用タグによって記憶されたデータは、典型的には製造者により不揮発性メモリ中に予めプログラムされており、パーソナルケア製品又はシステムの後のユーザーによって変えられない。読み取り／書き込みタグによって記憶されたデータは、後の使用中に、典型的には読取機によって、タグに対して後で書き換えることができる。
【００８４】
ＲＦＩＤタグ又は他のデータ送信機／通信機により記憶されたデータは、いずれかのパーソナルケア情報を含み、非常に多様であり得る。データのカテゴリーのいくつかには、製品識別データ（例えば、ブランド名又は製品名）及び製品の使用又はレジメンデータ（例えば、リンスのための１分レジメンなどの使用時間、製品使用に関する文字列若しくは図形による説明書）、１つ以上の褒賞、及び構成要素又は製品の取り替えデータ（例えば、構成要素又は製品を取り替えるべきときまでにそれを使用できる回数又は時間の長さ）が挙げられる。指導的画像、文字列、又はデータは、小児が適切なブラッシングレジメンを確立する際に特に有用であり得る。データはディスプレイ４５上に直接表示でき、又はディスプレイ４５の機能若しくは機構のためのプロセッサ６２（図４）への入力として使用することができる。例えば、リンス製品１７０についてのＲＦＩＤタグ１９９は、製品について推奨される使用時間は１分であるという使用データを記憶し得る。ＲＦＩＤタグは、使用データを、ディスプレイ４５に関連する読取機２０１に送信することができる。使用データは、カウントアップ又はカウントダウンタイマー（例えば、図７の１３０）への入力として使用され得、それは次に１分に設定される。ＲＦＩＤタグ１９９から読取機２０１へのデータ送信を開始するためには、ＲＦＩＤタグ１９９を含有する製品を、ＲＦＩＤタグに電圧を供給するために十分なほど読取機２０１に近接して定置することだけが必要である。
【００８５】
ＲＦＩＤタグは、リンスのボトル２０３又は歯磨剤のチューブ２０５のようなパーソナルケア製品の包装内に埋め込まれること又は取り付けられることができる。ＲＦＩＤタグ１９９は、可能な場合には、製品自体に取り付けられるか、又はその中に埋め込まれてもよい。例えば、ＲＦＩＤタグは、手動歯ブラシ１８０のハンドル２０７に埋め込まれる又は取り付けられてもよい。
【００８６】
データ通信機とデータ読取機との間のデータ通信は、口腔ケアレジメンの前、その間、又は後の多様な時間において発生可能であり、逐次的であることも又は変調されることもできる。例えば、ＲＦＩＤタグが、そのデータを、ディスプレイ４５、スリーブ６０、又はパーソナルケアシステムの１つの別の構成要素の一部である読取機２０１に送信できるように、ＲＦＩＤタグを有する複数の口腔ケア製品の各々をディスプレイ４５の近接に動かしてもよい。データ送信は、口腔ケア製品の各使用の前に発生することもできるし、又は製品が使用された最初のときなどに１回だけ発生することが必要であってもよく、データはその後読取機２０１（若しくはメモリ６４）若しくは読取機２０１に関連する構成要素によって記憶される。各パーソナルケア製品について、データがＲＦＩＤタグから読取機２０１へ送信される回数を記憶するカウンターを実施することができる。
【００８７】
本発明の１つの方法では、ＲＦＩＤタグ１９９を有する手動歯ブラシ１８０を、識別、使用情報、及び取り替え情報を読取機２０１に送信するために、読取機２０１を有するディスプレイ４５の近くに動かすことができる。識別データは、製品名を含むことができ、使用データは、推奨される使用時間（例えば、ブラッシングサイクルあたり２分）を含むことができる。取り替えデータは、取り替える前までに手動歯ブラシが使用できる回数、及び／又は歯ブラシを使用した時間量、例えば分若しくは秒を含むことができる。取り替えは、毛が歯ブラシのクリーニング性能に影響するほど十分に劣化している場合には望ましい場合がある。
【００８８】
読取機２０１は送信されたデータを読み取り、ディスプレイ４５は製品名を表示し、ブラッシングレジメンのために２分のタイマーを開始する。手動歯ブラシ１８０が読取機２０１にデータを送信するたびに、プロセッサ６２により実施されるカウンターは値を１増加させる。カウンターが、取り替えデータの値に達したら、ディスプレイ４５は、手動歯ブラシ１８０（又は他の製品のいずれかの取り替え可能な構成要素）を取り替えるべきであるという画像、文字列、又は他の信号を表示することができる。ディスプレイがコンピュータネットワークとデータ通信している場合、取り替え製品は、ユーザーのために自動的に注文され得る。
【００８９】
いくつかの実施形態では、手動歯ブラシ１８０を、ブラッシングサイクルの終わりに、読取機２０１の近接を読み取るのに動かしてもよく、所定期間（例えば、５分）内の読取機への第２のデータ送信が、ユーザーによるブラッシングサイクルの終了を示すために使用され得る。これらの実施形態では、取り替えデータは、各ブラッシング経験の期間に加えて、ブラシの累積使用時間を含んでよい。
【００９０】
読取機２０１又はそれに関連する構成要素は、複数のブラッシングサイクルの開始点及び終了点を分析し、役に立つフィードバックをパーソナルケア製品及び／又はシステムのユーザーに表示するようにプログラムされ得る。例えば、平均のブラッシング時間／日数が表示されてもよい。分析データは、ディスプレイ４５に関連するカレンダー機能によって所定の時期（例えば１週間に１回）に表示されてもよい。示されたデータに基づき、ディスプレイはユーザーに情報を提供してよい。例えば、ディスプレイ４５は、朝に対して夜の方がブラッシング時間が短い傾向があること又はその逆であることを、ユーザーに示すことができる。
【００９１】
次にユーザーは、リンスの包装２０３を、そのデータを読取機２０１に送信するために、ディスプレイ４５の近くに動かしてもよく、その後、ディスプレイ４５は、製品識別データを表示することができ、ユーザーによるリンス使用のためのタイマーを開始し得る。同様に、包装された歯用ホワイトニング製品１８３を、そのデータを読取機２０１に送信するために、ディスプレイ４５の近くに動かすことができ、その後、ディスプレイ４５は、製品識別データ（product identification date）を表示することができ、ユーザーによる歯用ホワイトニング製品の使用の長さ（例えば５、１０、１５、２０、２５、又は３０分）のためのタイマーを開始し得る。包装された歯用ホワイトニング製品１８３又は他の製品の将来的な使用のための注意もまた、カレンダー機能又は口腔ケアレジメンデータの分析に基づいて表示され得る。
【００９２】
本明細書に記載されるパーソナルケア製品、ディスプレイ、装置、及び／又はシステム構成要素の１つ以上は、ユーザーへの販売のためにキットとしてセット販売され得る。例えば、包装された歯磨剤製品、手動歯ブラシ製品、及び包装されたリンス製品が、これらの製品の各々と通信できるディスプレイとの組み合わせにおいて、キットとして提供され得る。
【００９３】
別の実施形態では、１つ以上の口腔ケア製品が、電動歯ブラシ及び／又はその基部と直接通信することができる。図１４を参照すると、複数の口腔ケア製品３５、１７０及び１７５を含むシステム３０が例示されている。口腔ケア製品１７０は、包装された口腔ケアリンス製品として例示され、口腔ケア製品１７５は、包装された歯磨剤製品として例示される。口腔ケア製品１７０及び１７５は、データリンク１９１及び１９３を使用して、電動歯ブラシ３５及び／又はその基部４０と通信することができる。論議を容易にするために、特定の製品が示されてきたが、多様な他の製品及びパーソナルケアシステムが置き換えられることは理解されるであろう。データリンクは、前述のように、無線であることも又は信号線を介することもできる。システム３０及び製品３５、１７０、及び１７５はまた、前述のように、データリンク１６３を介してネットワーク１６１に接続されてもよい。
【００９４】
システム３０は、前述のように及び図４に例示されるように、電気構成要素の１つ以上を組み込むことができる。１つの実施形態では、電気構成要素は、電動歯ブラシ３５及び／又は基部４０の中に組み込まれる。別の実施形態では、電気構成要素は、電動歯ブラシ３５のハンドル１００の中に組み込まれる。口腔ケア製品１７０及び１７５は、それぞれ１つ以上のデータ通信機１９９を組み込むことができる。データ通信機は、ＲＦＩＤタグ、バーコード、ショットコード（例えば、検出され得る白黒ブロックの配列）、又は前述のような磁石が挙げられるが、これらに限定されない、いずれかの形態において提供され得る。読取機２０１は、図１４に示されるように、基部４０上に位置していてもよいし、又は電動歯ブラシ３５に関連していてもよい。読取機２０１は、データ通信機１７０及び１７５とデータ通信することができる。データ通信機により送信されてもよく、及び／又は読取機によって検出若しくは受信されてもよいデータは多様であり、前述の情報のいずれかであり得る。
【００９５】
１つの実施例では、データ通信は、包装された製品１７０及び１７５の一部である、歯磨剤又はリンスの種類に関するデータを含む。包装された歯磨剤製品１７５に関して、データは、過敏症用歯磨剤、つや出し用歯磨剤、光活性化歯磨剤、ホワイトニング歯磨剤など、歯磨剤又はその成分のコード若しくは説明を含むことができる。データは、１つ以上のプロセッサ６２によって、電動歯ブラシ３５の１つ以上の特性を決定する、修正する、変える、実施する、制御する、活性化する、開始する、及び／又は設定するために処理されてもよい。電動歯ブラシ３５の特性は、非常に多様である可能性があり、前述の特性のいずれかを含んでもよい。
【００９６】
１つの実施形態では、特性は、毛フィールド構成を含んでもよく、これは、データ通信機により読取機に通信されたデータの処理の結果として適合されるか又は変えられてもよく、これは次にプロセッサ６２に通信される。図１５、１６、及び１７を参照すると、電動歯ブラシ３５が例示され、その毛フィールド構成は、データ送信機又は通信機からのデータの処理の結果として変えられてもよい。歯ブラシ３５は、ヘッド２２０と、外側毛フィールド２２２と、内側毛フィールド２２４と、を含む。追加の毛フィールドが提供されてもよい。外側毛フィールド２２２は、固定構成要素２２６から伸びてもよく、内側毛フィールド２２４は、可動構成要素２２８から伸びてもよい。いくつかの実施形態では、外側毛フィールド２２２の一部が、固定構成要素２２６及び／又は可動構成要素２２８から伸びてもよい。内側毛フィールド２２４の一部が固定構成要素２２６から伸び、内側毛フィールド２２４の別の一部が可動構成要素から伸びる追加的な実施形態が想到される。
【００９７】
作動装置アセンブリ２３０が、電動歯ブラシ３５のハンドル２３３の空洞２３２内に配置され得る。いくつかの実施形態では、作動装置アセンブリ２３０は、電源２３４、第１モーター２３６、第２モーター２３８、及び駆動システム２３９を含む。電源２３４は、例えば、単３又は単４電池のような電池を含むことが、概略的に描写されている。第１モーター２３６は、電池により作動する電動モーターを含んでもよく、出力軸２４０を含んでもよい（図１６に示される）。第２モーター２３８は、また電池により作動されてもよい電動モーターを含んでもよく、出力軸２４２及び偏心おもり２４４を有する。
【００９８】
駆動システム２３０は、第１モーター２３６をヘッド２２０の可動構成要素２２８に作動的に連結してもよい。第１モーター２３６は、従来の回転モーターとして、出力軸２４０を回転させ及び駆動システム２３０を駆動するように動作してもよい。第２モーター２３８も従来の回転モーターを含んでよいが、作動させると、Ｔｈｅ  Ｐｒｏｃｔｅｒ  ＆  Ｇａｍｂｌｅ  Ｃｏｍｐａｎｙから市販され、米国特許第６，５６４，４１６号及び米国特許出願公開第２００５／０２３５４３９号に記載される（この両方を参照することによりその全体が本明細書に組み込まれる）Ｏｒａｌ−Ｂ  Ｐｕｌｓａｒ（商標）歯ブラシと同様に、出力軸２４２に取り付けられる偏心おもり２４４が歯ブラシを振動させることができる。更に、ユーザーが、モーター２３６、２３８の片方の作動か又は両方の作動かを選択してもよい実施形態が企図される。いくつかの実施形態では、モーター２３６、２３８は互いに連動して、及び／又は互いが独立して働いてもよい。
【００９９】
図１５並びに図１６を続いて参照すると、ハンドル２３４、固定構成要素２２６、及び可動構成要素２２８は別個の構成要素であってもよい。これらの構成要素は、別個に形成され、続いて組み立てられてもよい。上述のように、ハンドル２３４は、作動装置アセンブリ２３０を含有する空洞２３２を含んでもよい。ハンドル２３４の描写された形態では、空洞２３２は、作動装置アセンブリ２３０の構成要素の各々、並びにヘッド２２０の固定構成要素２２６の一部分をしっかりと収容するために、複雑な形状をしている。しかしながら、代替的形態では、空洞２３２は、均一な形状をしていてもよく、作動装置アセンブリ２３０の構成要素はその中に接着剤又はいずれかのその他の装置を用いて固定されてもよい。更に別の形態では、ヘッド２２０の固定構成要素２２６及びハンドル２３４は、一体成形により形成されても又は別個の片から形成されてもよい。
【０１００】
動作中、電源２３４、例えば電池は、電気エネルギーを第１モーター２３６に提供してもよい。第１モーター２３６の出力軸２４０は次に駆動カム２４８の回転を生じさせてもよい。駆動カム２４８が回転するとき、フランジ２５０が回転し、傾斜面２５２、２５４が、線形継ぎリンク２５８上のボス２５６に連続的に摺動可能に係合する。この摺動係合は、第１モーター２３６の回転運動を線形継ぎリンク２５８の直線変位に変換する。線形継ぎリンク２５８は、このようにして関節リンク２６０を、及び最終的には可動構成要素２２８を駆動する。
【０１０１】
図１７を参照すると、可動構成要素２２８が第１位置において例示されており、これは歯ブラシ３５のヘッド２２０の毛フィールド（複数）の第１構成を規定する。この位置では、駆動カムのフランジ２５０の軸方向前方部分２６２は、線形継ぎリンク上のボス２５６と係合する。そのように構成されると、線形継ぎリンク２５８は、図１７の向きに対してその最も左の位置に配置される。結果として、関節リンク２６０は、その最も左の位置に配置される。更に、ヘッド２２０の可動構成要素２２８は、その最も左の位置、及び固定構成要素２２６に対して最も上方の位置に配置される。そのように位置付けられると、外側毛フィールド２２２及び内側毛フィールド２２４は、高さにおいてほぼそろえられる。別の言い方をすると、外側毛フィールド２２２は第１平面で終了し、これは図１７の参照番号２６６によって識別されるが、一方内側毛フィールド２２４は第２平面で終了し、これは図１７の参照番号２６８によって識別される。第１の構成では、第１及び第２平面２６６、２６８は、ほぼ同じ平面である。このようにして、図１８は、ヘッド２２０の第１構成を規定する、外側毛フィールド２２２及び内側毛フィールド２２４を含む歯ブラシ３５の毛を描写している。
【０１０２】
この第１構成では、外側毛フィールド２２２は、第１クリーニング動作を行うように適合され、一方内側毛フィールド２２４は、第２クリーニング動作を行うように適合される。第１及び第２クリーニング動作は、ほぼ同一であるが方向依存性であってもよいし、又はほぼ同一でなくてもよい。第１及び第２クリーニング動作は、表面クリーニング動作、並びに隣接歯間のクリーニング動作を含んでもよい。
【０１０３】
第１モーター２３６が、図１８に示される第２位置に駆動カム２４８を回転させるとき、これは歯ブラシ３５のヘッド２２０についての第２構成を規定し、フランジ２５０の軸方向後方部分２８４は、線形継ぎリンク２５８上のボス２５６の間に配置されるようになる。そのように構成されると、線形継ぎリンク２５８は、図１７の向きに対してその最も右の位置に配置される。結果として、関節リンク２６０は、その最も右の位置に配置される。最終的に、ヘッド２２０の可動構成要素２２８は、その最も右の位置、及び固定構成要素２２６に対して最も下方の位置に配置される。この第２位置では、外側毛フィールド２２２は、内側毛フィールド２２４を超えて所定の距離まで伸びる。別の言い方をすると、外側毛フィールド２２２は第１平面２６６で終了し、一方内側毛フィールド２２４は平面２６８で終了する。平面２６８は、平面２６６に対してほぼ平行であり、その下の方にずれている。１つの形態では、平面２６８は、およそ平面２６６の下方約０〜約１０ミリメートルに、又はその範囲内のいずれかの個々の数値において配置される。したがって、図１８は、ヘッド２２０の第２構成を規定する外側毛フィールド２２２及び内側毛フィールド２２４を含む、歯ブラシ３５の毛を描写している。
【０１０４】
そのため、いくつかの実施形態では、第１モーター２３６が駆動カム２４８を回転させるとき、駆動カム２４８は、線形継ぎリンク２５８を移動させ、それは今度は関節リンク２６０及び可動構成要素２２８を移動させることはよく理解されるべきである。より具体的には、駆動カム２４８が線形継ぎリンク２５８を、図１７に例示される第１位置から図１８に例示される第２位置に移動させるとき、例えば、線形継ぎリンク２５８は関節リンク２６０を引っ張り、それをピン２６９の回りに反時計方向に僅かに回転させる。更にいくつかの実施形態では、関節リンク２６０が可動構成要素２２８を、図１７に例示される第１位置から図１８に例示される第２位置に引っ張るとき、可動構成要素２２８上のボス２７５の後方面２７４（図１６参照）は、固定構成要素２２６中のスロット２７８の後方面２７６に沿って摺動可能に移動する。それ故に、駆動カム２４８が可動構成要素２２８を、図１８に例示される第２位置から図１７に例示される第１位置に移動させるとき、反対のことが発生する。具体的には、駆動カム２４８が線形継ぎリンク２５８を、図１８に例示される第２位置から図１７に例示される第１位置に移動させるとき、線形継ぎリンク２５８は関節リンク２６０を押し、それをピン２６９の回りに時計方向に僅かに回転させてもよい。更に、関節リンク２６０が可動構成要素２２８を、図１８に例示される第２位置から図１７に例示される第１位置に押すとき、可動構成要素２２８上のボス２７５の前方面２８０は、固定構成要素２２６中のスロット２７８の前方面２８２に沿って摺動可能に移動してもよい。したがって、使用中、作動装置アセンブリ２３０は、内側毛フィールド２２４を２つの高さの間、及び外側毛フィールド２２２に対して長手方向位置に移動させ、それによって上記のヘッド２２０の２つの構成を規定してもよい。
【０１０５】
可動構成要素２２８を第１位置と第２位置との間で動かすための第１モーター２３６の作動は、読取機２０１とデータ通信機１９９との間で通信されたデータの分析の結果として、プロセッサ６２により制御されてもよい。他の実施形態では、プロセッサ６２は、読取機２０１とデータ通信機１９９との間で通信されたデータの分析の結果として、１つ以上の毛キャリア又は毛フィールドの速度、振動数、及び／又は振幅を、可変制御を含んで制御してもよい。例えば、包装された歯磨剤製品１７５が消費者に過敏症の効果を提供する場合があることを、プロセッサ６２に通信されたデータが示すとき、又はプロセッサ６２に通信されたデータが分析されてそれを示すとき、プロセッサ６２は、可動構成要素２２８を図１８に示される毛の構成（第１構成）に動かすようにモーター２３４の動作を制御してもよい。図１８に示される毛の構成は、過敏症の効果を提供するように、例えば、より少ない毛が歯に接触して、より攻撃的でない歯及び歯肉の感覚を結果として生じるように、その結果、第１構成が、歯磨剤と同一の、同様の、及び／又は相乗的な効果を提供するように構成されてもよい。歯磨剤の過敏症の効果は、１つ以上の成分又は剤によって提供されてもよい。好適ないくつかの成分の例は、米国特許出願公開第２００２／００４１８５２号に記載されており、参照することによりその全体が本明細書に組み込まれる。過敏症の効果は、包装された歯磨剤製品１７５に関連する１つ以上の画像、語句、又は標語により消費者に認識されてもよい。プロセッサ６２に通信されるデータは、歯磨剤が過敏症の効果を有するという識別子、又は歯磨剤の成分若しくは剤の１つ以上についての識別子を含んでもよい。加えて又は別の方法としては、プロセッサ６２は、モーターが、より攻撃的でない動き又は振動（振動数又は振幅）をヘッド２２０及びその毛に送達する速度で回転するように、モーター２３８の動作を制御してもよい。歯磨剤製品、又は他の口腔ケア製品によって送達されてもよい、及びプロセッサ６２に通信される、識別子のようなデータを有してもよい他の効果には、ホワイトニング、つや出し、悪臭、抗歯肉炎、抗虫歯、抗歯石、抗腐食、及び抗歯垢の効果、並びにこれらの組み合わせが挙げられる。歯磨剤製品１７５からプロセッサ６２に通信されるデータは、米国特許第６，８４６，４７８号、同第６，７４０，３１１号、及び同第６，６９６，０４５号、又は米国特許出願公開第２００４／０１２６３３５号、同第２００６／０１７１９０７号、及び同第２００３／０１２４０６５号（これらは参照することによりその全体が本明細書に組み込まれる）に記載される任意のものが挙げられるがこれらに限定されない、歯磨剤の１つ以上の成分、剤又は活性物質を識別できる。
【０１０６】
図１９〜３６を参照すると、パーソナルケアシステム３００の例示の実施形態が示される。パーソナルケアシステム３００は、これまでに示され、説明された任意のパーソナルケアシステム、口腔ケアシステム、及び／又はディスプレイを含んでよい。示される例示の実施形態では、パーソナルケアシステム３００はディスプレイ３５０を含む。更に、パーソナルケアシステム３００は、パーソナルケア製品（例えば、図１〜１４及び１９に示されるパーソナルケア製品１５、３５、１７０、１７５、１８０、１８３、及び／又は１８５のうち１つ以上）を含んでよい。ディスプレイ３５０は、多様なアプリケーション（例えば、ソフトウェア、プログラム、ＨＴＭＬ、バイトサイズ及び／又は小さなアプリケーション（例えば、ＣＨＵＭＢＹ（登録商標）、Ｙａｈｏｏ（登録商標）、及び／又はＦｒａｍｅ  Ｃｈａｎｎｅｌ（登録商標）で使用されるようなウィジェット）など）を実行するように機能して多様な情報をディスプレイ３５０に提供でき、情報の提供とは、パーソナルケア情報、１つ以上のパーソナルケア製品（又は例えば、図１〜１４及び１９に示される１つ以上のパーソナルケア製品１５、３５、１７０、１７５、１８０、１８３、及び／若しくは１８５）に関連するパーソナルケア情報、娯楽、マルチメディア（例えば、音楽、映像、テレビ番組、ビデオクリップなど）、データ、統計値、インターネットコンテンツ（例えば、ウェブカム、ソーシャルネットワーク、オークション、メディアプログラム及びメディア情報など）、アラーム、時間、日付、予定表、ニュース、気象、マーケット及び／若しくは株式データ、並びに／又は任意のその他の情報若しくはコンテンツに関する、視覚情報を表示すること、及び／又は聴覚情報データを送達すること（すなわちスピーカーを介して再生）を含むが、これらに限定されない。以下に説明し、図１９〜３６に示されるパーソナルケアシステムの１つ以上の実施形態では、ディスプレイは、表示される情報、どのくらいの時間表示するのか、どの順序で表示するのか、及びどの形式で表示するのかについて、ユーザーが変更して設定可能であり、これによって、１人以上のユーザー向けディスプレイにより、カスタマイズされた、つまり個人用の情報の表示を提供する。
【０１０７】
当然のことながら、ディスプレイ４５もまた、他のデバイス（例えば、携帯端末（例えばＩＰＯＤＳ）、コンピュータ、ネットワーク（例えば、ＷＬＡＮ、ＬＡＮ、ＷｉＦｉ、ブルートゥース、ＷＡＮ、セルラーなど））、及び／又はインターネット（例えば、プライベートインターネット、公衆インターネットなど）へ、及びこれらから情報を受信及び／又は送信することができる。これらのアプリケーションは、別のコンピュータ（例えば、デスクトップ、ラップトップなど）に読み込まれ、及び／又は保存され、並びに多様なカテゴリー（動物、動画、カレンダー、時計、コミック、通信、コミュニティ、デート、教育、雇用、娯楽、金融、ゲーム、星占い、ユーモア、ＩＴ／ネットワーク、ライフスタイル、ニュース、パーソナル衛生（例えば、歯、歯磨き、口腔ケア、フロスによる歯間掃除、かみそり、剃毛など）、写真、公共サービス、ショッピング、ソーシャルネットワーク、スピリチュアル、スポーツ、旅行、映像、気象、ウェブ画像、及び不思議（Weird）が挙げられるが、これらに限定されない）に分類することができる。ディスプレイは、設定（例えばセットアップ）できる複数のチャンネルを備えてよく、各チャンネルは、１つ以上のアプリケーションを実行するよう作動してよい。これは、実施例として本明細書で以下に極めて詳細に説明する。
【０１０８】
この例示の実施形態では、ディスプレイ３５０は、ハウジング３５５と、ハウジング３５５内に配置されるスクリーン３６０と、を備える。この実施形態では、ハウジング３５５は、カウンター又はナイトテーブルなどの表面上に置かれるように構成される。この例示の実施形態では、ディスプレイ３５０は携帯できるよう構成されてよい。しかしながら、ハウジング３５５は、壁、鏡、又は本明細書で既に示され説明されたような別の表面上に据え付けるように構成されてよく、これには、第２ハウジング、接着剤、スナップ嵌め、ベルクロのようなフック・ループ式ファスナーなどの中にスライドして受容されることが含まれるが、これらに限定されないことが理解される。
【０１０９】
好適なディスプレイには、ブラウン管ディスプレイ、液晶ディスプレイ、発光ダイオードディスプレイ、固定セグメントディスプレイ、プラズマディスプレイ、ドットマトリクスディスプレイ、これらの組み合わせなどが挙げられる。同様に、いくつかの例示の実施形態では、スクリーン３６０は、液晶（ＬＣ）スクリーン、プラズマスクリーン、又はモニター及び／若しくはテレビで用いられている任意のその他従来のスクリーンを含んでよい。スクリーン３６０は、ユーザーがスクリーンに触れ、ディスプレイ３５０で実行しているアプリケーションを操作、実行、命令、及び／又は対話できる、タッチスクリーンを含んでよい。先に述べたとおり、以降に説明するいくつかの実施形態では、ディスプレイ３５０はプロジェクタであってよく、そのスクリーンは壁、鏡などであってよい。また、ディスプレイ３５０は、他の補助入出力デバイス、例えば、キーボード、マウス、赤外線リモコン、スピーカー、ＵＳＢデバイス、メモリなどを含んでよい。ディスプレイが、個人用通信デバイスを利用する実施形態が想到される。例えば、Ｂｌａｃｋｂｅｒｒｙ（商標）及びＩ−Ｐｈｏｎｅ（商標）、又は同様のものが利用できる。
【０１１０】
ディスプレイ３５０は、ディスプレイ３５０が聴覚情報を単独で、又は視覚情報と共に伝送又は放送できるような、１つ以上のスピーカー（図示せず）などの音響装置を含んでよい。スピーカーは、ハウジング３５５の内部にある若しくは一体化していてよく、又はハウジング３５５とは別になっていてよいが、ディスプレイ３５０と無線若しくは有線通信を行う。
【０１１１】
具体的には、パーソナルケアシステム３００は、それ自体とネットワーク３６１との間で、データを通信するように更に適合されてもよく、ネットワーク３６１には、ローカルエリアネットワーク（ＬＡＮ）、広域ネットワーク（ＷＡＮ）、インターネット及び／又はインターネットの部分、例えば、プライベートインターネット、セキュアインターネット、付加価値ネットワーク、又は仮想プライベートネットワークが挙げられる。パーソナルケアシステム３００は、ディスプレイ３５０との間の無線又は信号線であってよいデータリンク３６３により、ネットワーク３６１と通信できる。好適なネットワーククライアント３６５には、パーソナルコンピュータ、ノートパソコン、ワークステーション、切断可能なモバイルコンピュータ、メインフレーム、情報家電、携帯情報端末、並びに他の手持ち式及び／又は埋め込み式処理システムを挙げてもよい。ネットワーク３６１及びクライアント３６５への通信リンクをサポートする信号線には、ツイストペア、同軸、又は光ファイバーケーブル、電話線、衛星、マイクロ波中継装置、変調交流電源ライン、及び当業者に既知の他のデータ送信「ワイヤ」（ハードワイヤ）を挙げてもよい。更に信号は、８０２．１１規格のＩＥＥＥシリーズ、ＷｉＦｉ、ブルートゥースなどのような、いずれかの好適な無線伝送プロトコルを使用して、無線ネットワーク又は無線ＬＡＮ（ＷＬＡＮ）を通じて無線により転送されてもよい。例えば、ネットワーク３６１は、当業者には既知のように、ディスプレイ３５０をネットワーク３６１と接続かつ通信できるようにする無線アクセスポイント（図示せず）を含んでよい。その他の好適な無線データ通信リンクとして、本明細書で示し上述したように、ＲＦＩＤタグ及び／又は赤外線（ＩＲ）などの無線周波数（ＲＦ）を挙げてよい。特定の個々の及びネットワークコンピュータシステム及び構成要素が示されるが、当業者は、本発明がまた多様な他のネットワーク及びコンピュータとも連携することをよく理解するであろう。
【０１１２】
ネットワーク３６１、ネットワークに接続されるコンピュータ（図示せず）、又はディスプレイ３５０は、上記のうち１つ以上のカテゴリーのアプリケーションを備えてよい。加えて、いくつかの実施形態では、歯ブラシ自体にディスプレイを含んでよく、上記のうち１つ以上のカテゴリーのアプリケーションを備えてよい。かかる実施形態では、ユーザーが鏡の中でディスプレイを見ることができるように、歯ブラシのディスプレイを配置してよい。例えば、歯ブラシの背面にディスプレイを配置してよい。加えて、かかる実施形態では、ユーザーが鏡の中に映った情報を読めるように、情報はディスプレイ上に配置されて提供される。
【０１１３】
ユーザーは、各カテゴリー内に含まれる様々なアプリケーションに目を通し、どのアプリケーションをユーザーがディスプレイ３５０で実行したいのかを選び、続いて、ディスプレイ３５０にまだない場合は、選択したアプリケーションをディスプレイ３５０にダウンロードすることができる。ディスプレイ３５０には、あらゆるカテゴリーに相当する複数のアプリケーションに加え、又はユーザーがディスプレイ上に配置するよう選択した特定のもののみを備え、保存し、かつ表示することができる。ディスプレイ３５０はまた、１つ以上のアプリケーションを備えて実行できるよう設定（セットアップ）できる複数のチャンネルも備えてよい。例えば、時間及び日付をしばらくの間表示し、続いて朝などの予め定めた時間にアラームを鳴らすアプリケーションを含むよう、ユーザーは第１チャンネルをセットアップしてよい。一定時間が経過した後、しばらくの間天気予報を表示する第３のアプリケーションを実行するよう、第１チャンネルをセットアップしてよい。再び、時間が経過後、更に一定の時間、マーケット速報及び選択した株式情報を流すための第４のアプリケーションを、第１チャンネルに含めてもよい。最後に、通知を表示、及び／又はアラームを鳴らし、あるタスク（例えば、歯を２分間ブラッシングする、歯間をフロスで掃除する、犬に餌をやるなど）を行うことをユーザーに通知してもよい。ユーザーは、しばらくの間、夜のニュースのハイライト（例えば、ニュースのビデオクリップ）、音楽（例えば、ストリーミングラジオ）を流し、続いてオンラインオークションでウォッチングしているオークション品目に関する最新情報を表示するなど、夜用のアプリケーションを含んでもよいディスプレイ３５０において、第２チャンネルを設定してよい。
【０１１４】
また、パーソナルケアシステム３００は、１つ以上のパーソナルケア製品（例えば、図１〜１４及び１９に示される１つ以上のパーソナルケア製品１５、３５、１７０、１７５、１８０、１８３、及び／又は１８５）を備えてもよく、これらは、データリンク３６３を使用するそれ自体とネットワーク３６１との間、データリンク５５を使用するそれ自体とディスプレイ３５０との間、及び／又は同一若しくは同種のデータリンクを使用するそれ自体と任意の他の１つ以上のパーソナルケアデバイスとの間で、データ通信するよう構成されてよい。この例示の実施形態におけるデータリンク（例えば、データリンク５５、３６３）は、上で示し説明した無線及び又は信号線と同一又は同種であってよい。図１９に示されるように、パーソナルケアシステム３００は、本明細書で上で示し説明したように、電動歯ブラシ３５、及び電動歯ブラシ３５を受容するための基部４０を備えてよい。
【０１１５】
ディスプレイ３５０は、電動歯ブラシ３５の消費者による使用前、使用中、及び／又は使用後に、電動歯ブラシ３５及び／又は基部４０と連続的に及び／又は断続的にデータ通信することができる。１つの例示の実施形態では、ディスプレイ３５０は、２つ以上のパーソナルケア製品（例えば、それぞれデータリンク５５、１９１、１９３、１９５、１９６、及び／又は１９９を使用して、パーソナルケア製品３５、１７０、１７５、１８０、１８３、及び／又は１８５）と連続的に及び／又は断続的にデータ通信することができる。別の例示の実施形態では、データリンク１９７を使用して、電動歯ブラシ３５の代わりに、又は電動歯ブラシ３５と組み合わせて図１３に例示される電気かみそり１８７を、この例示の実施形態のパーソナルケアシステム３００及び／又はデータネットワーク３６１とデータ通信させてよい。よく理解されるであろうが、ディスプレイ３５０を含むパーソナルケアシステム３００は、内部電源を含む製品、並びに含まない製品、例えば包装されたリンス製品に関して使用するのに好適である。手動でボタンを押す又はその他手動デバイス、モーションセンサ、１つ以上のパーソナルケア製品（例えば、電動歯ブラシ３５）、及び／又は当業者に知られるその他通常の未開発デバイスの作動により、ディスプレイ３５０の電源を入れてよい。
【０１１６】
図２０は、パーソナルケアシステム３００の１つの例示の実施形態のスクリーン３６０上に表示され得る例示のスクリーンショットを示す。ディスプレイ３５０の電源が入れられると、ディスプレイ３５０は初期画面４００を表示してよい。これは、初期画面が何を含めるのか、及び／又は初期画面がどのように見えるのかを示すほんの一例である。ディスプレイ３５０は、例えば５秒間などの所定の時間、初期画面４００を表示するようにできる。しかしながら、所定の時間には任意の所望の時間を含むことができ、１つの例示の実施形態では、ユーザーが調整可能であることも理解されたい。
【０１１７】
所定の期間が経過すると、ディスプレイ３５０は、スクリーン３６０上にホーム画面４０２を表示することができる。示されるように、ホーム画面４０２は、時間４０３、日付４０４、及び曜日４０６、並びに歯ブラシアイコン４０５を含めることができる。また、ホーム画面４０２は、パーソナルケア製品（例えば、電動歯ブラシ３５）又はディスプレイ３５０の電源が入れられたが使用されていないときに表示することもできる。
【０１１８】
図２１を参照すると、最初にユーザーが歯ブラシアイコン４０５（図２０に示される）を選択すると、ユーザー名画面４１０がスクリーン３６０上に表示され、システムに個人を設定できる。示されるように、第１のユーザーアイコン４１１Ａ、第２のユーザーアイコン４１２、第３ユーザーアイコン４１３、及び第４ユーザーアイコン４１４をユーザー名画面４１０上に表示してよい。任意の数のユーザーアイコンをユーザー名画面４１０上に表示できると理解される。ユーザー名画面４１０はまたスクロールバーも含み、ユーザーに画面を上方及び下方にスクロールさせ、異なるユーザーアイコンを表示してよい。加えて、ユーザーセットアップ画面４１０にはホームアイコン４１５も含んでよく、これを選択すると、ユーザーはホーム画面に戻ることができる。
【０１１９】
図２０及び２１を参照すると、最初にユーザーがユーザーアイコンの１つ、例えば、第１のユーザーアイコン４１１Ａなどをクリックすると、ユーザー名入力画面４２０がスクリーン３６０上に表示され、システム３００に個人を設定する。ユーザー名画面４２０は、ユーザー名の設定、及びユーザー名と特定のパーソナルケア製品（例えば、そのユーザーの電動歯ブラシ３５）の関連付け方法に関する一般的指示４２２、キーボード４２４、打ち込んだものの表示４２６、エンターアイコン４２８を含んでよい。ユーザーは、スクリーン３６０（例えば、タッチスクリーン）、又はディスプレイ３５０に接続されたキーボード若しくはマウスのいずれかを用いてキーボード４２４に名前を打ち込み、続いて図２１に示されるようなエンターアイコン４２８を選択することができる。エンターアイコン４２８を利用し、初めて利用するユーザーの情報をディスプレイ３５０又はシステム３００内に保存することができる。
【０１２０】
提供される指示４２２は、システム３００で使用される製品の種類に限定して調整することができる。例えば電動歯ブラシ３５（図１９に示される）の場合、歯ブラシとディスプレイ３５０との間の通信を確立するため、指示４２２は歯ブラシ３５（図１９に示される）の電源を入れるよう指示してよい。しかしながら、別の項目も利用できる。例えば、手動歯ブラシ１８０（図１３に示される）は、通信を確立するため、ディスプレイ３５０の付近に持ってきてもよい。この方式では、ディスプレイ３５０は、様々な製品を特定のユーザーと関連させることができる。例えば、ディスプレイ３５０は、口腔ケア製品又は他のパーソナル衛生製品を認識し、これらの製品を特定のユーザーと関連させるよう構成されてよい。
【０１２１】
加えて、いくつかの実施形態では、ディスプレイ３５０は、任意の好適な方法を介して１人又は複数人のユーザーを識別するよう構成されてよい。例えば、ディスプレイ３５０が、音声認識、顔認識、口臭認識、指定された特徴認識を介して、ユーザーを認識するよう構成されてよい。指定された特徴、例えば顔の特徴、歯の特徴などによるユーザーの認識は、２００８年１１月２０日に出願された米国特許出願第６１／１１６３２７号、名称「Ｐｅｒｓｏｎａｌ  Ｈｙｇｉｅｎｅ  Ｄｅｖｉｃｅ，Ｓｙｓｔｅｍｓ  ａｎｄ  Ｍｅｔｈｏｄｓ」で詳述されている。更に、顔の特徴、歯の特徴、及び／又は指定された特徴を以降で説明する。
【０１２２】
同様に、多様なパーソナルケア製品を任意の好適な方式で識別してよい。例えば、電動歯ブラシの電源が入る際に電動歯ブラシが出す音により、電動歯ブラシを識別してよい。別の例として、歯磨剤の匂いにより歯磨剤を識別してよい。
【０１２３】
いくつかの実施形態では、ディスプレイ３５０を、初めて利用するユーザーが歯ブラシアイコン４０５を選択すると、ユーザー名入力画面４２０をスクリーン３６０上に表示するように構成してよい。この方式では、ディスプレイ３５０の第１のユーザーをユーザーナンバー１として識別するよう、ディスプレイ３５０を構成してよい。
【０１２４】
例示の実施形態では、ユーザーが名前を入力した後、ディスプレイ３５０は、背景選択画面で１つ以上の背景の選択肢を表示してよい。ユーザーは、複数の背景画像から選ぶことができ、これらは静止画（例えば写真）又は動画のいずれであってもよい。各背景画像は、種々の異なる画像であってよい。背景画像が動画又はビデオクリップである場合、ディスプレイ３５０は、ユーザーが所望の画像をディスプレイ上でプレビューさせるために選択するよう構成される。ユーザーの選択に基づき。ディスプレイ３５０が背景画像を変更できる実施形態が想到される。例えば、ユーザーが、初日は第１の背景画像を好み、別の日は第２の背景画像を好む場合がある。ディスプレイ３５０は、この選択に対応するよう構成される。別の例として、ユーザーが、特定の使用時間中に背景画像の変更を望む場合もある。かかる実施形態では、背景画像は、所定の時間、例えば５分間は第１の背景画像であり、次いで第２の背景画像に切り替わってもよい。上記のことは２つの背景画像に限定されない。任意の好適な数の背景画像を利用することができる。
【０１２５】
ユーザーが背景画像の１つを選ぶと、その選択がスクリーン３６０上に表示され、ディスプレイ３５０はユーザーに、選択肢に戻るための戻るボタンを選択する、又はエンターボタンを選択して選択した背景画像を保存する機会を与える。これにより、パーソナルケアシステム３００のこの例示の実施形態における、初めて利用するユーザーのセットアップ機能を完了させてよい。したがって、ユーザーアイコン４１１Ａが選択されるときはいつでも、及び／又はそのユーザーが識別したパーソナルケア製品（例えば、電動歯ブラシ３５）の電源が入れられるときはいつでも、選択したユーザー背景画像又は動画、並びにユーザー名をスクリーン３６０上に表示することができる。
【０１２６】
ユーザーが選択した背景は、特定の場合システム３００の使用時に常に見ることができる。例えば、朝の定型的パーソナル衛生法の間にいったん起動すると、ディスプレイ３５０は、定型的パーソナル衛生法を行うユーザーに対し定型的パーソナル衛生法の時間中ずっと背景を見せてよい。あるいは、背景を所定の時間、例えば５分間表示してよい。いくつかの実施形態では、パーソナルケアデバイス、口腔ケアデバイス、又は同種のものがシステム３００と通信を始めるまで、ディスプレイ３５０は背景を表示できる。パーソナルケアデバイス及び／又は口腔ケアデバイスと通信が開始されると、ディスプレイ３５０は、背景から、特定の定型法、例えば剃毛、歯磨きなどに関するいくつかの有用な情報へ変更して表示してよい。
【０１２７】
１人以上のユーザーがシステムを設定し、歯磨きログアイコン４０５が選択されると、ユーザー名画面４１０は、新たに名付けられたユーザーアイコンのリストを表示できる。例えば、ユーザー名が「Ｊａｍｉｅ」である場合、アイコン４１１Ａはアイコンとして名前「Ｊａｍｉｅ」を示すことができる。ユーザーが「Ｊａｍｉｅ」アイコンを選択すると、上述の予め選択された画像が表示、及び／又は再生され、続いて図２２に示されるように、ディスプレイ３５０上にパーソナル歯磨きログ画面４４０を表示してよい。
【０１２８】
歯磨きログ画面４４０は、多様な情報を表示できる。例えば、パーソナル歯磨きログ画面４４０は、日付、時間、及び／若しくは曜日、ユーザーによる歯磨き実施の毎日の歯磨きログ、並びに／又はその他情報を表示してよい。図２２〜２４に示されるように、パーソナル歯磨きログ画面４４０は、ディスプレイ３５０上に、ユーザー名を伴うあいさつ文４４７、アドバイス４４８、ユーザーによる歯磨き実施の毎日の歯磨きログ４４９、及び／又はその他情報を表示してよい。
【０１２９】
図２１Ｃを参照すると、ディスプレイ３５０上のスクリーン３６０を介してブラシ設定画面７２０をユーザーに提供してよい。ブラシ設定画面７２０により、定型的口腔ケア法を完遂するためにユーザーが望む特定の機能を、ユーザーに選択させてよい。例えば、ユーザーは、第１の定型的口腔ケア法における所望の機能として歯垢除去アイコン７３０を選択してよい。上記のように、パーソナルケアシステム３００（図１９に示される）は、例えば速度、振動数、動きなどの口腔ケアデバイスの様々な側面を制御してよい。電動歯ブラシの場合、パーソナルケアシステム３００（図１９に示される）は、適切な差し替え品を自動的に選択し、差し替え品が正しいか否かについてユーザーに通知することができる。加えて、パーソナルケアシステム３００（図１９に示される）は、選択された機能、例えば歯垢除去を提供するために、電動歯ブラシハンドルの適切なモード、速度、振動数、移動など、及び／又はこれらの組み合わせを選択してよい。手動歯ブラシの場合、パーソナルケアシステム３００は、特定の手動歯ブラシ、例えばＣｒｏｓｓ  Ａｃｔｉｏｎ（登録商標）の使用を推奨してよい。別の例として、ユーザーは、第１の定型的口腔ケア法におけるその所望の機能としてホワイトニングアイコン７３２を選択してよい。同様に、パーソナルケアシステム３００は、選択された機能、例えばホワイトニングを提供するために、電動歯ブラシハンドルの適切なモード、速度、振動数、移動など、及び／又はこれらの組み合わせを選択してよい。パーソナルケアシステム３００は、その人が、第１の定型的口腔ケア法では第１の機能を、第２の定型的口腔ケア法では第２の機能を常に実行するように構成することができる。第１の機能及び第２の機能は個人で異なる。更に、パーソナルケアシステム３００は、別のホワイトニング製品、例えばＣｒｅｓｔ  Ｗｈｉｔｅ  Ｓｔｒｉｐｓ（商標）の使用をユーザーに勧めてもよい。
【０１３０】
ユーザーに提供できるその他想定される機能のアイコンとして、歯肉マッサージアイコン７３４及びカスタムアイコン７３６が挙げられる。カスタムアイコン７３６により、ユーザーに、種々の異なる機能の組み合わせを選択させることができる。例えばカスタム設定では、ユーザーは、第１の定型的口腔ケア法において、１分間の歯垢除去及び１分間のホワイトニングを行うように、パーソナルケアシステム３００を設定することができる。任意の好適な数の機能を定型的口腔ケア法に組み入れてよい。例えば、ユーザーは、３０秒間の歯垢除去、３０秒間の歯肉マッサージ、及び／又は３０秒間のホワイトニングを行うように、パーソナルケアシステム３００を設定することができる。ユーザーは、パーソナルケアシステム３００を設定し、２つ以上の定型的口腔ケア法にカスタム設定を含めてよい。例えば、朝の第１の定型的口腔ケア法は特定の機能の第１の組み合わせを実施できる一方、第２の定型的口腔ケア法は特定の機能の第２の組み合わせを実施できる。パーソナルケアシステム３００（図１９に示される）はこの情報を保存し、このようなカスタム設定を、そのカスタム設定が割り当てられた特定の個人に関連させることができる。
【０１３１】
ここで留意すべきは、ブラシ設定画面７２０は手動歯ブラシにも同様に適用できることである。例えば、ユーザーは特定の機能を選択でき、パーソナルケアシステム３００（図１９に示される）は、選択された機能に対し適切な手動歯ブラシが選択されたかどうかについて、ユーザーにフィードバックすることができる。同様に、手動歯ブラシ及び電動歯ブラシの両方において、パーソナルケアシステム３００（図１９に示される）は、選択された機能を実行する適切なブラシとの組み合わせに推奨される歯磨剤、リンス、フロスなどについての情報を提供してよい。いくつかの実施形態では、パーソナルケアシステム３００は、手動口腔ケア製品及び電動口腔ケア製品の両方の組み合わせを勧めるよう構成されてもよい。
【０１３２】
ディスプレイ３５０が、舌洗浄アイコン（図示せず）を含むブラシ設定画面７２０を含む実施形態が想到される。舌クリーナー、軟組織クリーナーなどを有するこれらの歯ブラシ、電動又は手動のいずれかにおいて、パーソナルケアシステム３００（図１９に示される）は、選択された機能、例えば舌洗浄を提供するために、電動歯ブラシのハンドルの適切なモード、速度、振動数、移動など、及び／又はこれらの組み合わせについて、アドバイスを提供してよい。舌クリーナーのいくつかの好適な例は、米国特許出願公開第２００６／００１０６２８号、同第２００５／０１６６３４４号、同第２００５／０２１０６１２号、同第２００６／０１９５９９５号、同第２００８／０１８９８８８号、同第２００６／００５２８０６号、同第２００４／０２５５４１６号、同第２００５／０００００４９号、同第２００５／００３８４６１号、同第２００４／０１３４００７号、同第２００６／００２６７８４号、同第２００７／００４９９５６号、同第２００８／０２４４８４９号、同第２００５／０００００４３号、同第２００７／１４０９５９号、並びに米国特許第５，９８０、５４２号、同第６，４０２，７６８号、及び同第６，１０２，９２３号に記載されている。
【０１３３】
図２２〜２４Ｂを参照すると、パーソナル歯磨きログ画面４４０はまた、任意の考えられる間隔を表示する毎日の歯磨きログ４４９を含んでもよい。示されるように、第１週４３１及び第２週４３２を含む、２週間のカレンダーが表示される。パーソナル歯磨きログ画面４４０は、毎回ユーザーが日常的に歯をブラッシング（歯磨き実施）するたびに、及び各道具による歯磨き行動がどのくらい続いたかについて、追跡して表示することができる。例えば図２２に示されるように、歯磨きログ画面４４０は、第１週４３１中に、ユーザーが、日曜日に歯磨き実施あたり２分間の歯磨き実施を２回行った（すなわち、彼女は歯を２回磨いた）が、同じ週の金曜日は、１．３６分間経過した歯磨き実施が１回のみであったことを示す。記号４３７は、例えば、赤字Ｘなど、歯磨き実施を行わなかった記号としてよい。図２２〜２４に示されるように、第１週４３１の月曜日に２つ、水曜日に１つ、金曜日に１つ赤字Ｘを付け、第１週４３１において、ユーザーが月曜日の歯磨き実施を両方とも全く行わなかったこと、水曜日に１回目の歯磨き実施を行わなかったこと、及び金曜日に２回目の歯磨き実施を行わなかったことを示す。ブラッシング時間に関するアドバイス４４８をユーザーに提供してよい。
【０１３４】
更に、パーソナル歯磨きログ画面４４０は、最後に歯ブラシ又は歯ブラシヘッドを交換してからの歯磨き実施の累積回数を追跡して表示することができる。例えば、パーソナル歯磨きログ画面４４０は、視覚的マーク４４１（例えば、複数のバーを有し色が変わる歯ブラシ）及び／又は歯ブラシ若しくは歯ブラシヘッドにつき推奨される総歯磨き実施数に対する歯磨き実施累積回数を識別する数字表示４４５（例えば、１８０回のうち１０回使用）を用いて、歯磨き実施累積回数を表示することができる。各歯磨き実施が起こるとき、ディスプレイ３５０は、例えば、１８０回のうち１回使用、１８０回のうち２回使用、１８０回のうち３回使用などのような、歯ブラシ又は歯ブラシヘッドの取り替え毎に推奨される総歯磨き実施回数に対する各連続累積歯磨き実施（数字表示４４５）を表示してよい。
【０１３５】
更に、視覚的マーク４４１は、複数の色付き区分４４２に分けられた歯ブラシの部分図又は全体図を含んでよい。例えば、ディスプレイ３５０は、累積歯磨き実施数が０回から予め設定した第１の閾値、例えば約１１０回などまでの間は、歯ブラシ図（視覚的マーク４４１）の全ての複数の区分を緑色に表示するよう構成してよい。歯磨き実施の累積回数が予め設定した第１の閾値を超えて増えたとき、複数の区分４４２のうち１つ以上を緑色から別の色、例えば白色に変更し、歯ブラシ及び／又は歯ブラシヘッドの寿命が減っていることを示すように、ディスプレイ３５０を構成してよい。０回と予め設定した第１の閾値との間は、ディスプレイ３５０はまた、文字マーク、例えば「最適性能」４４３など、又は任意のその他所望のテキストメッセージを表示してもよい。
【０１３６】
予め設定した第１の閾値（例えば、１８０回のうち１１０回使用）に到達すると、図２４に示されるように、複数の区分４４２の一部の色を緑色から別の色、例えばオレンジ色に変更するなど、視覚的マーク４４１を変更するようにディスプレイ３５０を構成してよい。更に、図２３に更に示されるように、文字マークを「最適性能」４４３から「ブラシヘッド点検」４４４に変更するように、ディスプレイ３５０を構成してよい。同様に、歯ブラシ毎に推奨される歯磨き実施の総回数に対し予め設定した最終閾値（例えば、１８０回のうち１８０回使用）を含むように、ディスプレイ３５０を構成してよい。使用累積回数（歯磨き実施）が予め設定した第１の閾値と予め設定した最終閾値との間であるとき、複数の区分４４２のうち１つ以上をオレンジ色から別の色、例えば白色に変更し、歯ブラシ及び／又は歯ブラシヘッドの寿命が更に減っていることを示すように、ディスプレイ３５０を構成してよい。
【０１３７】
総累積歯磨き実施が予め設定した最終閾値と等しくなると、複数の区分４４２の残りの部分の色をオレンジ色から赤色に変更するなど、視覚的マーク４４１を変更するようにディスプレイ３５０を構成してよい。更に、文字マークを「ブラシヘッド点検」４４４から「ブラシヘッド交換」４４６に変更してよい。図２５を参照すると、予め設定した最終閾値が歯ブラシ又は歯ブラシヘッドにおいて推奨される歯磨き実施総回数に達すると、ディスプレイ３５０により通知画面４３９が表示されてよい。いくつかの実施形態では、通知２４３９を利用し、ブラシを新しくする時期が来たことを示すメッセージを表示してよい。
【０１３８】
図２４Ｂを参照すると、いくつかの実施形態では、パーソナルケアシステム３００（図１９に示される）は、スヌーズボタン２４３を提供してよい。通知２４３９は、ユーザーに第１のメッセージを、及びスヌーズボタン２４３が作動、例えば押し下げられた後にユーザーに第２のメッセージを、提供するように構成されてよい。例えば、通知２４３９は、新しいブラシ／差し替え品を利用すべきことを示すメッセージを表示するよう構成されてよい。通知２４３９は、可聴音、振動、光など、又はこれらの組み合わせを伴ってよい。ユーザーは、可聴音、振動、光など、又はこれらの組み合わせの動作を停止するため、スヌーズボタン２４３を作動させること、例えば押し下げることができる。所定の期間、例えば数時間、１日、複数日、１週間、複数週の後、可聴音、振動、光など、又はこれらの組み合わせを伴う通知２４３９を再びユーザーに提供してよい。ユーザーは、通知２４３９、及び／又は可聴音、振動、光など、若しくはこれらの組み合わせの動作を停止するため、スヌーズボタン２４３を作動させること、例えば押し下げることができる。第１の所定の期間と同じであってよく、第１の所定の期間より短くてよく、又は第１の所定の期間より長くてよい第２の所定の期間後、通知２４３９を再びユーザーに提供してよい。
【０１３９】
通知２４３９、可聴音、振動、光など、又はこれらの組み合わせは漸進的であってよい。例えば、第１及び／又は第２の所定の期間後に、より大きいフォント、異なるフォント、点滅などで通知２４３９をユーザーに提供してよい。別の例として、通知２４３９は、第１及び／又は第２の所定の期間の前とは異なるメッセージを提供してよい。異なるメッセージにより、ユーザーのコンプライアンスを高めることができる。加えて、第１及び／又は第２の所定の期間の後、可聴音の音量を上げることができ、振動の強度を上げることができ、及び／又は光の強度を上げることができる。いくつかの実施形態では、第１及び／又は第２の期間の後、ユーザーは、通知２４３９、及び／又は可聴音、振動、光など、若しくはこれらの組み合わせの動作を停止するため、スヌーズボタン２４３を複数回作動させる、例えば押し下げる必要があってよい。
【０１４０】
図２５を参照すると、通知画面４３９は、通知、アドバイス、ヒント、提案、価格、注文情報、注文過程などが挙げられるがこれらに限定されない、多様な項目を含んでよい。図２５は、例えば「ＡＤＡは、ブラッシングを最適に維持するために、消費者が約３ヶ月毎に歯ブラシを交換することを推奨しています」といったＡＤＡ（Ａｍｅｒｉｃａｎ  Ｄｅｎｔａｌ  Ａｓｓｏｃｉａｔｉｏｎ）のアドバイスを含むアドバイス４３６、及び例えば「Ｊａｍｉｅ、ブラシヘッドを新しくする時期です」といった通知４３９を有する、この例示の実施形態の通知画面４３９を具体的に示す。口腔ケアレジメンに関連する他のアドバイス、例えば、フロス、リンスなどを使用する通知を提供してよい。加えて、パーソナル衛生に関するヒントを提供してよい。例えば、背中のワックス脱毛に関する通知などである。
【０１４１】
１つの例示の実施形態では、ユーザーが歯のブラッシングプロセス（すなわち、歯磨き実施）中のとき、ディスプレイ３５０は、あいさつ、現在の歯磨き実施の実施時間、及びユーザーセットアッププロセス中に選択された特定の背景画像を表示してよい。
【０１４２】
図２６〜２７を参照すると、ホーム画面４０２は、歯磨きログアイコン４０５に加え、ネットワークアイコン４０７、例えば地球の絵を含んでよい。この例示の実施形態では、歯ブラシの耐用期間が切れた後、ディスプレイ３５０が通知画面４３９を表示すると、通知画面４３９はまた、特価案内アイコン２５３７も含んでよい。ユーザーが特価案内アイコン２５３７を選択すると、ディスプレイ３５０により、広告、製品、特価案内、及び／又は割引情報を提供する特価案内画面４６０が表示される。特価案内画面４６０はまた、メールを送るアイコン（図示せず）を含むこともでき、これを選択すると、ディスプレイ３５０は、データリンク３６３及びネットワーク３６１（図１９に示される）を介してユーザーが定めたメールアドレスに特価案内を送る。
【０１４３】
また、特価案内画面４６０及び／又は通知画面４３９は、製品注文アイコン（図示せず）を含むことができ、ユーザーが選択すると、ディスプレイ３５０はシステム３００に、データリンク３６３を使用するネットワーク３６１（例えば、インターネット）を通じて、製品の販売業者又は製造業者へ発注を行わせることができる。１つの例示の実施形態では、ユーザーが製品注文アイコンを選択すると、ディスプレイ３５０が製品（例えば、電動歯ブラシ３５）を注文し、ユーザーに請求書を送り、及び／又は製品の支払い処理を行うように、システム３００（図１９に示される）及び／又はディスプレイ３５０は、クレジットカード、デビットカード、当座預金口座、及び／又は普通預金口座情報などのユーザーアカウント情報を含んでよい。この過程は、ユーザーが新しい製品を注文するのに要する手間及び時間を大いに簡略化し、削減させる。また、ディスプレイ３５０もまた、１つ以上の上記画面を介して情報を提供し、属の及び／又は新しいパーソナルケア製品を注文できる。
【０１４４】
いくつかの実施形態では、特価案内画面４６０により、ユーザーが電動歯ブラシを所定の価格でリースできるようにしてよい。
【０１４５】
加えて、特価案内画面４６０により、ユーザーが所定の時間間隔での差し替え品、ペーストなどの自動発送を申し込めるようにしてよい。例えば、ブラシヘッド差し替え品を、３か月毎にユーザーに自動的に発送してよい。別の例として、歯磨剤、ペースト、ゲル、又は同種のものを、１か月に１回ユーザーに発送してよい。加えて、パーソナルケアシステム３００（図１９に示される）のインターネットと通信する性能から、ディスプレイ３５０、歯ブラシ３５、及び／又はインターネットと通信できる任意のその他好適な構成要素は、ユーザーが、ブラシ差し替え品、歯磨剤、ゲルなどの配達状況を追跡するのを助けることができる。例えば、ディスプレイ３５０は、グローバルポジショニングシステム技術を利用して、配送製品の現在の位置を示す地図を提供することができる。更に別の例として、ディスプレイ３５０は、特定の期限内に荷物が運ばれたというメッセージ及び／又は合図をユーザーに提供することができる。
【０１４６】
図２１Ａを更に参照すると、システム３００に表示できる及び／又はシステム３００からアクセス可能であるコンテンツの別の例として、ユーザーは、子ども用に、子どもに適切なコンテンツを伴うユーザーアイコンを設定することができる。例えば、第３ユーザーアイコン４１３を子どもの名前を表示するよう設定できる。ディスプレイ３５０は、ユーザーアイコン４１３が選択されると、ディスプレイ３５０が子ども用に設定され、又は構成されたコンテンツ及びアプリケーションを表示し、実行するように、子どものアカウントのうちで多様なコンテンツ及び／又はアプリケーションを含むように構成されてよい。図２８を参照すると、ユーザーがユーザーアイコン４１３（図２１Ａに示される）を選択すると、子ども用初期画面４７０を表示することができる。子ども用初期画面４７０は、アニメのキャラクター２８３０を含んでよい。任意の好適なアニメのキャラクターを利用できる。
【０１４７】
ディスプレイ３５０は、ユーザーがゴーアイコン４７３を選択するまで、スクリーン３６０の任意の部分をクリックするまで、所定の時間が経過した後、電動歯ブラシ３５（図１９に示される）の電源を入れるまで、ディスプレイ３５０付近に歯ブラシを動かすまで、又はこれらの任意の組み合わせを行うまで、初期画面４７０を表示するよう構成されてよく、ここで動画を子ども向けのディスプレイ３５０上に流してよい。１つの実施形態では、動画は、子ども達に正しいパーソナルケア及びパーソナルケア手法、例えば２分間のブラッシング、正しいブラシの動き、フロスによる歯間掃除などを教える、及び／又は促す教育アニメであってよい。動画の代わりに、又は動画に加えて、ディスプレイ３５０は、子どものユーザーが歯のブラッシング前、途中、及び／又は後に遊ぶことができるビデオゲームなどのゲームを実行するよう構成されてよい。ゲームは、パーソナルケア向けであってもそうでなくてもよい。ディスプレイ３５０は、子どものユーザーのパーソナルケア製品（例えば、電動歯ブラシ３５）の電源を入れると、動画を流すよう構成されてよい。ユーザーアイコン４１３はまた、例えば、歯磨きログ機構及びアプリケーションなどのユーザーアイコン４１１Ａに関連して説明したものを含む、本明細書で説明するような任意及び／又は全ての特徴を含むことができると理解される。
【０１４８】
いくつかの実施形態では、ディスプレイ３５０は、１つ以上のアプリケーション（例えば、ウィジェットなどの小アプリケーション）を実行するよう構成されてよい。１つ以上のチャンネルにおいて、ディスプレイ３５０でこのアプリケーションを構成してよい。複数のこれらのアプリケーションは、ユーザーが、これらにアクセスし、複数の保存されたアプリケーションからこれらのアプリケーションの１つ以上を選択し、かつディスプレイが選択された１つ以上のアプリケーションを実行するよう構成できるように、ディスプレイに直接保存されてよい。更に、これも上述したように、ディスプレイ３５０は、図１９に示され本明細書で上述されるように、データリンク３６３（例えば、無線及び／又は信号線）を介してネットワーク３６１（例えば、インターネット）とデータ通信してよい。システム３００及び／又はディスプレイ３５０をネットワーク３６１に接続できるため、ユーザーは、ネットワーク３６１上にある複数のアプリケーションにアクセスし、データリンク３６３を介してディスプレイ３５０に送られたこれらアプリケーションの１つ以上をブラウズして選択し、続いてディスプレイに設定された１つ以上のチャンネルに１つ以上のアプリケーションを構成できる。ディスプレイ３５０はまた、連続的に、定期的に、又は断続的にネットワーク３６１にアクセスし、特定のアプリケーションを検索し、かつこれらのアプリケーション及びコンテンツをデータリンク３６３を介してディスプレイ３５０に転送するようにも構成されてよい。
【０１４９】
図２６について上述したように、ディスプレイ３５０は、ホーム画面４０２に表示されるネットワークアイコン４０７を含んでよい。図２９Ａ及び２９Ｂに関して、ディスプレイ３５０は、ユーザーがネットワークアイコン４０７を選択すると、ユーザーチャンネル画面４９０が表示されるように構成されてよく、設定済みユーザーアイコン（名前が割り当てられているアイコン、例えば、ユーザー１−４１１Ａ及びユーザー３−４１３、それぞれ図２１Ａに示される）及び使用できるユーザーアイコン（例えば、ユーザー２アイコン４１２、ユーザー４アイコン４１４）の両方について、ユーザーアイコンのリストが表示される。各ユーザーは、ディスプレイを構成及び／又はカスタマイズして１つ以上のチャンネルを含めることができ、１つ以上のチャンネルはそれぞれ、ユーザーが各チャンネルに置くよう選択した１つ以上のアプリケーションを実行することができる。例として、ディスプレイ３５０及び／又はシステムは、「ユーザー１」アイコン４９１を選択すると、ディスプレイ３５０が６つのチャンネルアイコン、つまり、気象アイコン５０２、コミックアイコン５０３、スポーツアイコン５０４、交通アイコン５０５、ゲームアイコン５０６、及び音楽アイコン５０７、並びにシャッフルアイコン５０８を示すチャンネル選択画面５００を表示するように構成されてよい。ディスプレイは、示される６つのチャンネルのみを含むよう固定されてよいが、各ユーザーが、いくつのアプリケーション及びどのアプリケーション及び／又はコンテンツが各チャンネルに含まれるか及び／又は各チャンネルで実行されるかを、選択及び／又はカスタマイズできると理解される。あるいは、各ユーザーが、ディスプレイ３５０上にいくつのチャンネルを設定及び／又はセットアップするかを選択及び／又はカスタマイズし、ひいては、いくつのアプリケーション及びどのアプリケーション及び／又はコンテンツが各チャンネルに含まれるか及び各チャンネルで実行されるかを、選択及び／又はカスタマイズできるように、ディスプレイをカスタマイズ可能にできると理解される。
【０１５０】
選択されると、各チャンネルは、ディスプレイ３５０が、表紙画面、例えばスポーツの表紙画面、気象の表紙画面、交通の表紙画面、及び／若しくはコミックの表紙画面、並びに／又はそれぞれのコンテンツアプリケーション（例えば、音楽コンテンツアプリケーション、スポーツコンテンツアプリケーション、気象コンテンツアプリケーション、交通コンテンツアプリケーション、及び／若しくはコミックコンテンツアプリケーション）を表示するように構成されてよい。１つ以上のチャンネルは表紙画面を含むことができず、コンテンツアプリケーションを含むのみであると理解される。表紙画面及び／又はコンテンツアプリケーションのそれぞれはまた、戻るアイコン、進むアイコン及び／又はゴー！アイコンなどのユーザーコントロールを含むこともできる。チャンネル、コンテンツアプリケーション、及びネットワーク３６１との相互接続性は、ＣＨＵＭＢＹ（商標），Ｉｎｃ．、Ｙａｈｏｏ（登録商標）、及び／又はＦｒａｍｅ  Ｃｈａｎｎｅｌ（登録商標）が提供するものと同一又は類似するものであってよいことが理解される。
【０１５１】
図３０Ａ及び３０Ｂを参照すると、ユーザーが、例えば音楽アイコン５０７（図２９Ｂに示される）などのユーザーチャンネルアイコンのうちの１つを選択する場合、音楽の表紙画面５６０がディスプレイ３５０に表示される。ディスプレイ３５０は、所定の時間音楽の表紙画面５６０を表示し、次いで音楽コンテンツアプリケーション５７０を実行し、特定のチャンネル（例えば、ビデオクリップ、情報、音楽（例えば、ＭＰ３、サウンドバイトなど））に含まれる情報を表示するよう構成されてよい。あるいは、ユーザーはゴーアイコン５６３を選択し、所定の時間が経過するのを待たずに、コンテンツアプリケーション５７０を直ちに表示及び／又は実行してよい。音楽コンテンツアプリケーション５７０はまた、選択されると、ユーザーに、ディスプレイ３５０、システム３００、及び／又はネットワーク３６１（図１９に示される）に保存されている自身の音楽ライブラリへのアクセスを提供する、音楽ライブラリアイコン５６５を含んでもよい。加えて、音楽ライブラリアイコン５６５を選択する際、ユーザーはまた、ネットワーク３６１（図１９に示される）に存在する他の音楽コンテンツ、例えばインターネットラジオ（例えば、ストリーミングラジオ）、ダウンロード可能な音楽が入手できる音楽ウェブサイト、ミュージックビデオなどにアクセスしてもよい。ディスプレイ３５０が、ＡＭ及び又はＦＭ信号を受信可能な実施形態が想到される。これらの実施形態では、ディスプレイ３５０は、複数の放送局を保存できるようプログラム可能であってよい。加えて、かかる実施形態では、ディスプレイ３５０は、ディスプレイ３５０を所望のＡＭ及び／又はＦＭ信号に合わせるのに使用される調整つまみを備えてよい。
【０１５２】
図３０Ｂに詳細に示されるように、音楽コンテンツアプリケーション５７０を実行している（すなわち、音楽を再生している）間、ディスプレイ３５０はまた、曲名、歌手、アルバム、アルバムジャケットの写真などが挙げられるが、これらに限定されない音楽情報を表示してもよい。ユーザーはまた、マイチャンネルに戻るアイコン５６４若しくは戻るアイコン５６１のいずれかを選択し、ディスプレイ３５０で表示する、閲覧する、及び／若しくは聞くための別のチャンネルを選択するためにユーザーチャンネル画面５００に戻ってもよく、又はディスプレイ３５０に、順番に次の表紙画面（例えば、スポーツの表紙画面）及びその背後にあるコンテンツアプリケーション（例えば、スポーツコンテンツアプリケーション）を表示させることができる進むアイコン５６２を選択してもよい。ユーザーは、コンテンツアプリケーションが実行された後に進むアイコンをただ選択し、一連のチャンネルの次のチャンネル（すなわち、表紙画面及び／又はコンテンツアプリケーション）に移動することにより、全てのユーザーチャンネル及びその対応するコンテンツアプリケーションを繰り返し実行することができる。チャンネルの順序は、ユーザーによりカスタマイズ可能であると理解される。
【０１５３】
図３１Ａ及び３１Ｂを参照すると、ユーザーが、ユーザーチャンネル画面５００からスポーツアイコン５０４（図２９Ｂに示される）を選択する場合、スポーツの表紙画面５１０がディスプレイ３５０に表示される。ディスプレイ３５０は、所定の時間スポーツの表紙画面５１０を表示し、次いでコンテンツアプリケーション５１４を実行し、特定のチャンネル（例えば、ビデオクリップ、ストリーミングメディア（例えば、ストリーミングラジオ天気予報）、データ、文字列、音楽、サウンドバイト、ゲームスケジュールなど）に含まれる情報を表示するよう構成されてよい。例えば、コンテンツアプリケーション５１４は、報道機関、例えばＥＳＰＮ（登録商標）、Ｓｐｏｒｔｓ  Ｉｌｌｕｓｔｒａｔｅｄ（登録商標）、又は同種の機関のウェブサイトに、インターネット（すなわち、ネットワーク３６１）を介してアクセスし、そこにあるアクセス可能な、ＥＳＰＮ’ｓ  Ｓｐｏｒｔｓｃｅｎｔｅｒ（登録商標）のビデオクリップ、スポーツイベント又はプログラムのビデオクリップ、スポーツデータ、ストリーミングスポーツメディア（例えば、ストリーミングラジオ放送）、データ、文字列、音楽、サウンドバイト、リアルタイム及び又は定時のゲームスコアなどが挙げられるが、これらに限定されないスポーツ情報をデータリンク３６１を介してダウンロードし、続いて、コンテンツアプリケーション５１４でこれらスポーツ情報を再生及び／又は表示することができる。ディスプレイ３５０は、ネットワーク３６１（図１９に示される）にアクセスし、多様な間隔で、例えば連続的に、断続的に、又は定期的に（例えば毎日）この情報及びコンテンツを取得するよう構成されてよい。
【０１５４】
コンテンツアプリケーション５１４画面は、ユーザーに特定のスポーツを選択できるようにする複数のボタン３１１０を含んでよい。例えば、ユーザーがＮａｔｉｏｎａｌ  Ｈｏｃｋｅｙ  Ｌｅａｇｕｅ（登録商標）のハイライト、スコアのみに興味がある場合、ユーザーは、コンテンツアプリケーション５１４がホッケー及び／又はＮＨＬ（登録商標）に関する結果のみにアクセスし、表示するように、適切なボタン３１１０を選択することができる。同様に、ユーザーが所望のスポーツを選択すると、続いてユーザーは、プロスポーツ又は大学スポーツから選択できる。ユーザーがスポーツの表紙画面５１０から所望の情報を選択する選択肢を有するように、スポーツの表紙画面５１０にボタン３１１０を表示してよい。
【０１５５】
あるいは、ユーザーはゴーアイコン５１３を選択し、上記のように所定の時間が経過するのを待たずに、コンテンツアプリケーション５１４を直ちに表示及び／又は実行してよい。ユーザーは、ディスプレイ３５０がスポーツの表紙画面５１０又はコンテンツアプリケーション５１４を表示している間の任意の時間に、戻るアイコン５１１を選択し、前のスクリーン、すなわち、それぞれユーザーチャンネル画面５００又はスポーツの表紙画面５１０に戻してもよい。また、ユーザーは、ディスプレイ３５０がスポーツの表紙画面５１０又はコンテンツアプリケーション５１４を表示している間の任意の時間に、進むアイコン５１２を選択し、次の表紙画面、例えば、気象の表紙画面５２０（図３２Ａに示される）に進んでもよく、次の表紙画面及びコンテンツアプリケーションはユーザーに、スポーツカバーシート及びコンテンツアプリケーションに関して上述したような、同一又は類似の選択肢、機構、及びアプリケーションを提供する。
【０１５６】
図３２Ａ及び３２Ｂを参照すると、ユーザーが、例えばユーザーチャンネル画面５００（図２９Ｂに示される）から気象アイコン５０２（図２９Ｂに示される）を選択する場合、又はユーザーが、前の表紙画面／コンテンツアプリケーションから進むアイコン（例えばスポーツの進むアイコン５１２（図３１Ｂに示される））を選択する場合、気象の表紙画面５２０がディスプレイ３５０に表示される。ディスプレイ３５０は、所定の時間気象の表紙画面５２０を表示し、次いでコンテンツアプリケーション５２４を実行し、特定のチャンネル（例えば、ビデオクリップ、ストリーミングメディア（例えば、ストリーミングラジオ天気予報）、データ、文字列、音楽、サウンドバイトなど）に含まれる気象情報を表示するよう構成されてよい。例えば、コンテンツアプリケーション５２４は、報道機関、例えばＴｈｅ  Ｗｅａｔｈｅｒ  Ｃｈａｎｎｅｌ（登録商標）、地方ニュースの報道機関、地域ニュースの報道機関、全国ニュースの報道機関、又は同種の機関のウェブサイトにアクセスすることができる。コンテンツアプリケーション５２４は、インターネット（すなわち、ネットワーク３６１）を介してウェブサイトにアクセスし、そこにあるアクセス可能な、温度データ、現在及び将来の天気予報、気象マップ、レーダー画像、衛星画像、ビデオクリップ、ストリーミングメディアなどが挙げられるが、これらに限定されない気象情報をデータリンク３６１を介してダウンロードし、続いて、図３２Ｂに示されるようなコンテンツアプリケーション５２４でこの気象情報を再生及び／又は表示することができる。ディスプレイに表示される気象コンテンツは、気象ウェブサイト及び／又はチャンネルで通常見られるような任意の情報、データ、及び／又は画像であってよい。ディスプレイ３５０は、ネットワーク３６１にアクセスし、多様な間隔で、例えば連続的に、断続的に、又は定期的に（例えば毎日）この情報及びコンテンツを取得するよう構成されてよい。
【０１５７】
加えて、ディスプレイ３５０が、ユーザーが気象に関する情報の所望の一式を選択できる複数のボタン３２１０を表示する実施形態が想到される。例えば、ボタン３２１０は、全国、地方、地域及び／又は外国の気象情報からユーザーに選択させてよい。ユーザーが所望の地区の情報を選択すると、ディスプレイ３５０は、所望の情報を表示するための適切なウェブサイトにアクセスできる。ボタン３２１０は、気象の表紙画面５２０上に表示されてよい。この方式では、ユーザーは、コンテンツアプリケーション５２４の所望の情報を選択し、アクセスできる。
【０１５８】
あるいは、ユーザーはゴーアイコン５２３を選択し、上記のように所定の時間が経過するのを待たずに、コンテンツアプリケーション５２４を直ちに表示及び／又は実行してよい。ユーザーは、ディスプレイ３５０がスポーツの表紙画面５２０又はコンテンツアプリケーション５２４を表示している間の任意の時間に、戻るアイコン５２１を選択し、それぞれチャンネル順序の前のスクリーン（例えば、スポーツの表紙画面５１０）又は気象の表紙画面５２０に戻してもよい。また、ユーザーは、ディスプレイ３５０が気象の表紙画面５２０又はコンテンツアプリケーション５２４を表示している間の任意の時間に、進むアイコン５２２を選択し、次の表紙画面、例えば、交通の表紙画面５３０に進んでもよく、次の表紙画面及びコンテンツアプリケーションはユーザーに、スポーツ及び／又は気象の表紙並びにコンテンツアプリケーションに関して上述したような、同一又は類似の選択肢、機構、及びアプリケーションを提供する。
【０１５９】
図３３Ａ及び３３Ｂを参照すると、ユーザーが、例えばユーザーチャンネル画面５００（図２０Ｂに示される）から交通アイコン５０５（図２０Ｂに示される）を選択する場合、又はユーザーが、前の表紙画面／コンテンツアプリケーションから進むアイコン（例えば気象の進むアイコン５２２）を選択する場合、交通の表紙画面５３０がディスプレイ３５０に表示される。ディスプレイ３５０は、所定の時間交通の表紙画面５３０を表示し、次いでコンテンツアプリケーション５３４を実行し、特定のチャンネル（例えば、ビデオクリップ、ストリーミングメディア（例えば、ストリーミングラジオ交通情報）、データ、文字列、音楽、サウンドバイト、地図、対話型地図、道案内、衛星画像、事故情報及びその更新情報、工事場所情報及びその更新情報、迂回ルートなど）に含まれる交通情報を表示するよう構成されてよい。例えば、コンテンツアプリケーション５３４は、適切なメディア機関及び／又は政府機関のウェブサイトにアクセスしてよい。例として、インターネット（すなわち、ネットワーク３６１）を経由するＴｒａｆｆｉｃ  Ｐｕｌｓｅ（商標）が挙げられ、そこにあるアクセス可能な、ビデオクリップ、ストリーミングメディア（例えば、ストリーミングラジオ交通情報）、データ、文字列、音楽、サウンドバイト、地図、対話型地図、道案内、衛星画像、事故情報及び更新情報、工事場所情報及び更新情報、迂回ルートなどが挙げられるが、これらに限定されない交通情報をデータリンク３６１を介してダウンロードし、続いて、図３３Ｂに示されるようなコンテンツアプリケーション５３４でこの交通情報を再生及び／又は表示する。ディスプレイに表示される交通コンテンツは、交通ウェブサイト及び／又はチャンネルで通常見られるような任意の情報、データ、及び／又は画像であってよい。例として、ディスプレイ３５０は、興味のある特定の地域を示す地図３３２０を提供してよい。ディスプレイ３５０は、ネットワーク３６１にアクセスし、多様な間隔で、例えば連続的に、断続的に、又は定期的に（例えば毎日）この情報及びコンテンツを取得するよう構成されてよい。
【０１６０】
ディスプレイ３５０がタッチスクリーンとして構成され、それによりユーザーは、開始ポイントと目的ポイントとの間の代替経路を選択することができる実施形態が想到される。あるいは、初期経路が遅い又は遮断される場合、ディスプレイ３５０が代替経路を提案し、表示するよう構成される実施形態が想到される。更なる実施形態では、ユーザーが地図３３２０をスクロールできる、及び／又は地図の焦点領域を拡大／縮小できることがある。かかる実施形態では、大きい道路部分に加え小さい道路が表示されるように、地図３３２０を縮小してよい。加えて、地図３３２０が主要な道路のみを表示し、それより小さい道路の一部を含めないように、地図３３２０を拡大してよい。
【０１６１】
あるいは、ユーザーはゴーアイコン５３３を選択し、上記のように所定の時間が経過するのを待たずに、コンテンツアプリケーション５３４を直ちに表示及び／又は実行してよい。ユーザーは、ディスプレイ３５０が交通の表紙画面５３０又は交通コンテンツアプリケーション５３４を表示している間の任意の時間に、戻るアイコン５３１を選択し、それぞれチャンネル順序の前のスクリーン（例えば、気象の表紙画面５２０）又は交通の表紙画面５３０に戻してもよい。また、ユーザーは、ディスプレイ３５０が交通の表紙画面５３０又はコンテンツアプリケーション５３４を表示している間の任意の時間に、進むアイコン５３２を選択し、次の表紙画面、例えば、コミックの表紙画面５４０に進んでもよく、次の表紙画面及びコンテンツアプリケーションはユーザーに、スポーツ及び／又は気象の表紙並びにコンテンツアプリケーションに関して上述したような、同一又は類似の選択肢、機構、及びアプリケーションを提供する。
【０１６２】
図２９Ｂを再度参照すると、ユーザーが、ユーザーチャンネル画面５００からコミックアイコン５０３を選択する場合、又はユーザーが、前の表紙画面／コンテンツアプリケーションから進むアイコン（例えば交通の進むアイコン５３２）を選択する場合、コミックの表紙画面がディスプレイ３５０に表示される。ディスプレイ３５０は、所定の時間コミックの表紙画面を表示し、次いでコンテンツアプリケーションを実行し、特定のチャンネル（例えば、連載マンガ、動画、アニメ、ビデオクリップ、ストリーミングメディア、データ、文字列、音楽、サウンドバイトなど）に含まれるコミック情報を表示するよう構成されてよい。例えば、コンテンツアプリケーションは、インターネット（すなわち、ネットワーク３６１）を介してコミック情報（例えば、ＤＩＬＢＥＲＴ（登録商標）の公式サイト）を含むウェブサイトにアクセスし、そこにあるアクセス可能な、連載マンガ、動画、アニメ、ビデオクリップ、ストリーミングメディア、データ、文字列、音楽、サウンドバイトなどが挙げられるが、これらに限定されないコミック情報をデータリンク３６１を介してダウンロードし、続いてコミックコンテンツアプリケーションでこのコミック情報を再生及び／又は表示することができる。ディスプレイに表示されるコミックコンテンツは、コミックウェブサイト及び／又はチャンネルで通常見られるような任意の情報、データ、及び／又は画像であってよい。ディスプレイ３５０は、ネットワーク３６１にアクセスし、多様な間隔で、例えば連続的に、断続的に、又は定期的に（例えば毎日）この情報及びコンテンツを取得するよう構成されてよい。
【０１６３】
あるいは、ユーザーはコミックの表紙画面からゴーアイコンを選択し、上記のように所定の時間が経過するのを待たずに、コンテンツアプリケーションを直ちに表示及び／又は実行してよい。ユーザーは、ディスプレイ３５０がコミックの表紙画面又はコミックコンテンツアプリケーションを表示している間の任意の時間に、戻るアイコンを選択し、それぞれチャンネル順序の前のスクリーン（例えば、交通の表紙画面５３０）又はコミックの表紙画面に戻してもよい。また、ユーザーは、ディスプレイ３５０がコミックの表紙画面又はコンテンツアプリケーションを表示している間の任意の時間に、進むアイコンを選択し、次の表紙画面、例えば、音楽の表紙画面に進んでもよく、次の表紙画面及びコンテンツアプリケーションはユーザーに、スポーツ及び／又は気象の表紙並びにコンテンツアプリケーションに関して上述したような、同一又は類似の選択肢、機構、及びアプリケーションを提供する。
【０１６４】
更に図２９Ｂに関連して、ユーザーチャンネル画面５００はまたシャッフルアイコン５０８を含んでもよく、選択されると、ディスプレイ３５０は、事前のチャンネルのコンテンツアプリケーションがその情報の表示を完了した際に、ユーザーが次のチャンネルを選択する必要なく、チャンネル（例えば、音楽チャンネル、スポーツチャンネル、気象チャンネル、交通チャンネル、及び／又はコミックチャンネル）をランダムに、又は所定の順序で、自動的に実行（表示）するであろう。別の実施形態では、ディスプレイ３５０は、どのチャンネルがそのコンテンツアプリケーションを実行するのか、そのコンテンツアプリケーションを実行する時間はどれぐらいか、及び／又はどの順序でチャンネルが実行されるのか、についてユーザーによるカスタマイズを許可するよう構成される。
【０１６５】
図３４〜３８を参照すると、パーソナルケアシステム３００（図１９に示される）の更に別の例示の実施形態が示される。この例示の実施形態は、上記例示の実施形態に記載の全ての構成要素、機構、及び／又はスクリーンを備えてよい。この例示の実施形態では、前述のように、ホーム画面４０２（図２６に示される）は、歯磨きログアイコン４０５（図２６に示される）及びネットワークアイコン４０７を含んでよい。ユーザーがこの実施形態の歯磨きログアイコン４０５を選択すると、ディスプレイ３５０がパーソナルケア選択画面６００を表示するよう構成することができる。パーソナルケア選択画面６００は、第２の歯磨きログアイコン６０２、口腔マップアイコン６０４、及び歯垢検出アイコン６０６を含んでよい。ユーザーが選択できる任意の数のアイコンが、任意の数のパーソナルケアトピック、手順、製品、レジメン、主題、及び／又はアプリケーションについて表示かつ構成され得ること理解される。
【０１６６】
ユーザーが第２の歯磨きログアイコン６０２を選択すると、ディスプレイは、ユーザー名画面４１０（図２１Ａに示される）又はユーザーが全ての所望の名前、識別子、及び／又は同種のものを入力したユーザー名画面を表示できる。このように、そのユーザーが最初にシステムに入る場合、ユーザー名画面４１０（図２１Ａに示される）を表示することができ、ユーザーは、使用可能な（名前が付けられていない）ユーザー名アイコン（例えば、４１１ａ）の１つを選択することができる。次いで、ユーザーは、本明細書で上述したように、ユーザー名アイコン４１１ａに名前を付けることによる、及び／又はスクリーン画像をカスタマイズ、つまり個人用に設定にすることによる、アカウントを名付ける工程にしたがってよい。更に上述したように、ユーザーがいったんシステムを設定又はセットアップすれば、ユーザーが歯磨きログアイコン４０５を選択すると、続いてそのユーザーのユーザー名アイコン（例えば、「ＪＡＭＩＥ」ユーザー名アイコン）を示すユーザー名画面が表示されるだろう。
【０１６７】
ユーザーが「ＪＡＭＩＥ」ユーザー名アイコンを選択する場合、パーソナル歯磨きログ画面が表示されてよい。この例示の実施形態では、パーソナル歯磨きログ画面４４０は、本明細書で上述したように、及び図２２〜２４、２８で示されるように表示される。ディスプレイ３５０は、本明細書で上述し、及び図２５、２７に記載されるように、通知画面（例えば、通知画面４３９）及び／又は特価案内画面（例えば、特価案内画面４６０）もまた表示してよい。
【０１６８】
ユーザーが口腔マップアイコン６０４を選択する場合、ディスプレイは、例えば位置追跡システムなどの口腔マップアプリケーションを実施し、かかるアプリケーションの実行前、実行中、及び／又は実行後の口腔マップアプリケーションの結果を表示するよう構成されてよい。例えば、システム３００（図１９に示される）及び／又はパーソナルケア製品（例えば、電動歯ブラシ３５）は、システム３００（例えば、ディスプレイ３５０）が、歯磨き実施中の歯ブラシの複数の位置をモニター、追跡、及び／又は記録し、続いてパーソナルケア製品が口腔内のどこを移動したのか、その製品が口腔内のどこを移動しなかったのかを表示できるようにする位置追跡システムを備えてよい。
【０１６９】
パーソナルケアシステム３００の実施形態は、位置確認部材（図示せず）を更に含んでよい。いくつかの実施形態では、位置確認部材は、ディスプレイ３５０及びネットワーク３６１とデータ通信するカメラ（図示せず）を含んでよく、それによりカメラが画像データをディスプレイに送信でき、及び／又はカメラが次々にディスプレイ３５０に画像データを送信できる。別の実施形態では、位置確認部材はまた、カメラ、ディスプレイ３５０、及び／又はネットワーク３６１とデータ通信する受信ユニット（図示せず）も含んでよい。
【０１７０】
いくつかの実施形態では、位置確認部材は、ユーザーの体の少なくとも一部分、及び／又はパーソナルケア製品（例えば、歯ブラシ３５）の少なくとも一部分の位置及び／又は向きを測定することができる。位置確認部材は、多数の異なる技術を利用してこのタスクを実行することができる。非限定的な例には、視覚的マーカー、非視覚的マーカー（例えば、音声、ソーナー、レーダー、ドップラー）、物体認識、磁気、レーザー及び／又はマシンビジョン等に関連する技術が挙げられる。１つの特定の実施形態では、位置確認部材はマーカーレス技術を利用してもよく、物体認識可能であってもよい。かかる実施形態では、物体認識を遂行するために、位置確認部材は、ユーザー及び／又はパーソナルケア製品（例えば、歯ブラシ３５）の指定された特徴を利用してよい。
【０１７１】
指定された特徴は、ユーザーの体、ユーザーの全身、及び／又はパーソナルケア製品（例えば、歯ブラシ３５）の特徴に関する解剖学的ランドマークであってよい。ユーザーの体に関する解剖学的ランドマークの非限定的な例には、顔ランドマーク、胴体ランドマーク、手足ランドマーク、手指、足指、頭、及び口腔ランドマークを挙げることができる。顔ランドマークの非限定的な例には、ユーザーの目、鼻孔、口角、これらの組み合わせ、及び同種のものの場所が挙げられる。口腔ランドマークの非限定的な例には、個々の歯、歯の表面、以前の歯の治療、歯肉、頬、唇及び舌が挙げられる。
【０１７２】
パーソナルケア製品（例えば、歯ブラシ３５）に関する指定された特徴の非限定的な例は、色及び質感コントラスト並びに／又は製品ロゴである。歯ブラシ３５を組み込むパーソナルケアシステム３００の実施形態では、歯ブラシのヘッドの毛間の色及び質感コントラスト、並びに歯ブラシのハンドルの第１の材料と第２の材料との間の色及び質感コントラストが、特定の指定された特徴であってよい。パーソナルケア製品としてかみそりを組み込むパーソナルケアシステム３００の実施形態では、かみそりカートリッジの色及び質感コントラスト、並びにかみそりのハンドルの第１の材料と第２の材料との間の色及び質感コントラストが、特定の指定された特徴であってよい。
【０１７３】
加えて、パーソナルケア製品（例えば、歯ブラシ３５）のいくつかの実施形態は、材料コントラストを含んでよい指定された特徴を有する。例えば、歯ブラシ３５の様々な構成要素の材料間の温度勾配を測定することにより、位置確認部材が歯ブラシ３５の位置／向きを判定してよい。ある実施形態では、材料間の温度勾配は、赤外線光学分析装置を利用して測定され得る。
【０１７４】
指定された特徴を認識することによって、位置確認部材は、身体認識、顔認識及び／又はパーソナル衛生用具認識を行うことができる。位置確認部材が２つの物体間を認識し、区別することができるように、指定された特徴を選択してよい。したがって、パーソナルケアシステム３００のある実施形態では、位置確認部材が特定の指定された特徴を認識することにより、第１のパーソナルケア製品と第２のパーソナルケア製品を区別することができる。同じく、第１のユーザーの顔／体もまた、位置確認部材が特定の指定された特徴を認識することによって、第２のユーザーの顔／体と区別され得る。上記の指定された特徴を利用することにより、位置確認部材が、ユーザーの顔／体の少なくとも一部分の向き及び／若しくは場所、並びに／又はパーソナルケア製品（例えば、歯ブラシ３５）の少なくとも一部分の場所を測定することが可能になり得る。
【０１７５】
本発明のパーソナルケアシステム、例えばパーソナルケアシステム３００と組み合わせ又は一体化してよい位置追跡システム、位置確認部材、及び／又は物体認識を有するパーソナルケアシステムを含む例示のパーソナルケアシステム及び製品は、同一所有者の同時係属の仮特許出願、名称「ＰＥＲＳＯＮＡＬ  ＨＹＧＩＥＮＥ  ＤＥＶＩＣＥＳ，ＳＹＳＴＥＭＳ  ＡＮＤ  ＭＥＴＨＯＤＳ」（２００８年１１月２０日出願、出願第６１／１１６，３２７号）に示され記載されている。システム３００は、国際公開番号第２００７／０８４６４７号、同第２００７／０８４７６８号、及び同第２００７／０８４７２７号を有するＰＣＴ出願、並びに米国特許第５，４１２，７３８号、同第６，１２８，３９８号、同第６，３０１，３７０号、同第７，２２１，８０９号、米国特許出願公開第２００１／００４３７１７号、同第２００３／００１６８６９号、同第２００４／００６２４４２号、同第２００６／０２５１２９２号、同第２００７／００７３４３９号、及び同第２００７／０２５８６４５号（これらは全て参照することによりその全体が本明細書に組み込まれる）に示され記載されるような、物体認識ソフトウェア及び／又は歯科スキャンシステムを備えてよい。
【０１７６】
ディスプレイ３５０は、歯磨き実施の間にユーザーがどこを磨いたのか、及び／又は磨いていないのかについて視覚情報をユーザーに提供するため、このような歯ブラシ３５の位置データを取得し、続いて、口腔の写真、シミュレーション画像又は代表的画像上に表示、投影、又はシミュレートするよう構成されてよい。具体的には、図３５において、ディスプレイ３５０は、口腔６１５に視覚的に表される歯磨き実施中の歯ブラシの位置データを有する、口腔６１５を視覚的に表す口腔画面６１０を示す。口腔６１５の視覚的表示には、上顎部分３５１０及び下顎部分３５２０を含む。各上顎部分３５１０及び下顎部分３５２０はそれぞれ、複数の歯区域を含む。例えば、上顎部分３５１０は、左側歯区域６１８、右側歯区域６１１、及び前方歯部分６１２を含んでよい。同様に、下顎部分３５２０は、左側歯区域６１６、右側歯区域６１７、及び前方歯区域６１９を含んでよい。
【０１７７】
ディスプレイ３５０は、ユーザーがブラッシングしている特定の領域をハイライトするよう構成してよい。例えば、現在ユーザーが上顎部分３５１０の左側歯区域６１８を磨いている場合、そのときに区域６１８を色、例えば緑色でハイライトし、一方歯区域の残りは対比色、例えば白色、赤色、黄色などであってよい。ユーザーが歯のブラッシングを続けるとき、どの歯が磨かれているのかをディスプレイが図示し続けるために、システム３００（図１９に示される）は、この位置データを追跡、記録、及びディスプレイ３５０に送信し続けてよい。
【０１７８】
加えて、ディスプレイ３５０は、磨き損ねた口腔６１５の任意の領域を識別／ハイライトするよう構成されてよい。例えば、ユーザーが区域６１８、６１７、６１９、及び６１６のみを磨いた場合、ディスプレイ３５０は区域６１１及び６１２をハイライトしてよい。ディスプレイ３５０は、磨き損ねた区域、例えば６１１及び６１２を、任意の好適な方式でハイライト／識別してよい。例えば、区域６１１及び６１２は、赤色、オレンジ色など、又はブラッシングされた区域と対比する任意のその他好適な色を呈してよい。ディスプレイはまた、どの歯が磨かれたものの十分に長く磨かれていないのか、すなわち、ブラッシングに望ましい所定の時間、歯ブラシがその歯の区域にとどまらなかったことを識別し、視覚的に表示することもできると理解される。
【０１７９】
任意のその他好適な視覚信号、画像、しるしなどを、歯区域の色とは別に、又は色と組み合わせて用い、どの歯が磨かれておらず、どの歯が磨かれたのかを図示できると理解される。フロスによる歯間掃除、剃毛、トリミング、かみそり、刈り込み、プローブ、歯垢検出、歯肉炎検出などが挙げられるが、これらに限定されないその他のパーソナルケア手順及び／又は製品で位置追跡システムを用い、ディスプレイ３５０上に位置追跡データを表示できるということも考えられる。
【０１８０】
更に別の例示の実施形態では、パーソナルケアシステム３００（図１９に示される）は、位置追跡システムと組み合わせてパーソナルケア製品（例えば、歯ブラシ３５）に接続できる、本明細書で先に示し記載したような圧力センサ及び／又は力センサを更に備えることができる。この実施形態では、センサは、ユーザーが歯ブラシから自身の口腔に与える圧力及び／又は力を検出し、次いでこの圧力及び／又は力、並びに場所データをディスプレイ３５０及び／又はネットワーク３６１に表示することができる。
【０１８１】
図３４及び３６を参照すると、ユーザーが歯垢検出アイコン６０６を選択する場合、ディスプレイは歯垢検出指示画面６３０を表示してよい。システム３００は、スクリーン３６０上への表示を目的に、ディスプレイ３５０に歯垢検出情報及びデータを送信するための、システム、すなわちディスプレイ３５０及び／又はネットワーク３６１とデータ通信する、本明細書で先に示し記載したような歯垢検出デバイスを更に含んでよい。別の実施形態では、システム３００は、歯垢検出デバイスが歯垢検出データ及び情報をディスプレイ及び／又はネットワーク３６１に送信し、位置追跡システムが歯垢検出デバイスの位置追跡データをディスプレイ及び／又はネットワーク３６１に送信するように、本明細書で先に示し記載したような、歯垢検出デバイス及び位置追跡システムを備えてよい。続いてシステム３００は、ディスプレイが、この歯垢及び位置データを、ユーザーの口腔の写真、シミュレーション、又は例示のもの上に表示できるように、ユーザーが、自身の口腔のどの区域に歯垢があるのか、及び／又は自身の口腔のどの区域に歯垢が含まれないのかがわかるように、このデータ及び情報を組み合わせてよい。
【０１８２】
本発明のパーソナルケアシステム、特にパーソナルケアシステム３００と使用するのに、又は組み合わせるのに好適なその他の例示の歯垢検出デバイス、システム、及び／又は方法は、米国特許出願公開第２００８／００６０１４８号、同第２００６／０２２２６００号、及び２００８年５月２日に出願された米国特許出願第６１／０４９９０４号に示され記載されている。本明細書で先に示し記載した任意の例示のディスプレイは、表示される情報、及び／又は実行されるアプリケーション、どのくらいの時間表示するのか又は実行するのか、どの順序で表示するのか又は実行するのか、及びどの形式で表示するのか又は実行するのかについて、ユーザーが変更して設定可能であり、これによって、１人以上のユーザー向けディスプレイにより、カスタマイズされた、つまり個人用の情報表示を提供すると理解される。
【０１８３】
任意のパーソナルケアシステムが、任意の好適な方式及び／又は本明細書に記載した任意の方式を介して、インターネット、ヘルスケア提供者、医療サービス（例えば保険サービス提供者）、口腔ケア専門家のメンバー（例えば歯科医及び／若しくは歯科衛生士）、小売業者、インターネットコンテンツ提供者（例えばｇｏｏｇｌｅ、ＷｅｂＭＤ（登録商標））、並びに／又はこれらの組み合わせと通信できる実施形態が想到される。
【０１８４】
ディスプレイが、本明細書に記載されるようなパーソナルケアシステムを何人の人が使用しているかについて、ユーザーに画像で提供できる実施形態が想到される。例えば、ディスプレイは、ある時間におけるブラッシング、リンス、及び／又はフロスによる歯間掃除をしている人の数を画像で示すことができる。別の例として、ディスプレイは、本明細書に記載されるようなパーソナルケアシステムを利用している人々の画像を示すことができ、画像は、ある人、又は複数の人の写真又は動画であってよい。例として、ある人はパーソナルケアシステムのユーザー向けパーソナル衛生ネットワークに登録できる。入会すると、その人は、パーソナル衛生ネットワークへの追加を求めている他の人を選択でき、又はその人は、友人のパーソナル衛生ネットワークへの追加を求めている他の人を検索できる。
【０１８５】
いくつかの実施形態では、人がバスルームに入る、又はディスプレイ３５０の所定の圏内に入ると、ディスプレイ３５０が識別するよう構成されてよい。例えば、ディスプレイ３５０は、光センサ、熱センサ、モーションセンサ、湿度センサ、及び／又はドップラーセンサを含んでよい。これらのセンサは、人がバスルームに入る、及び／又はディスプレイ３５０の圏内に入ると、ディスプレイ３５０が判定できるようにすることができる。これらのセンサは、ディスプレイ３５０に所定の時間後に電源を落とす能力を与え、これによりディスプレイ３５０のエネルギー消費量を減らす。
【０１８６】
上述したように、システムは着脱式メモリデバイスを備えてよい。例えば、図３７に示されるように、着脱式メモリデバイス３７１０は、ＵＳＢ接続又は本明細書に記載される任意のその他好適な通信メカニズムを介してディスプレイ３５０と連動してよい。ディスプレイ３５０からの情報を、着脱式メモリデバイス３７１０にアップロードしてよい。示されるように、着脱式メモリデバイスはディスプレイ３５０と連動するが、着脱式メモリデバイス３７１０はパーソナル衛生システム３００（図１９に示される）の歯ブラシ３５と連動してもよい。着脱式メモリデバイス３７１０がもたらすメリットは、ユーザーが着脱式メモリデバイス３７１０を直接歯科医に持っていき、例えば、そのユーザーの口腔ケア習慣に関する情報を歯科医に提供できることである。いくつかの好適な着脱式メモリデバイス３７１０として、フラッシュメモリ、携帯用ハードドライブなどが挙げられる。
【０１８７】
いくつかの実施形態では、着脱式メモリデバイス３７１０は、パーソナル衛生製品とディスプレイとの間のインターフェースとして機能することができる。例えば、着脱式メモリデバイス３７１０は、Ｉ−ｐｈｏｎｅ（登録商標）と歯ブラシ３５との間のインターフェースとして機能でき、この着脱式メモリデバイス３７１０がなければ、通信することができない。
【０１８８】
いくつかの実施形態では、着脱式メモリデバイス３７１０は、ユーザーに、良質な口腔衛生の実行及び／又は良質なパーソナル衛生の実行に利用する動機を提供してよい。例えば、着脱式メモリデバイス３７１０をゲームとして構成できる。ゲームの目的は、ゲーム内のキャラクターが、例えばポイントを得る、生き延びるなどのゴールに到達するのを助けるものであってよい。キャラクターがゴールに到達するのを助けるために、ユーザーが、特定の定型的パーソナル衛生法及び／又は特定のパーソナル衛生製品を利用することが必要であってよい。例えば、１回につき２分間、日に３回のブラッシングをユーザーが行わない場合、キャラクターが死ぬものであってよい。このような定型的な口腔法は、ユーザーにより手動で入力してよい。あるいは、又はユーザーの手入力と共に、着脱式メモリデバイス３７１０は、本明細書に記載するように、複数のパーソナル衛生製品と通信するよう構成されてよい。かかる実施形態では、着脱式メモリデバイス３７１０が歯ブラシを認識するように、ユーザーは、例えば、着脱式メモリデバイス３８１０の付近に歯ブラシを単に通過させなければならないかもしれない。
【０１８９】
ユーザーが得たポイントは、着脱式メモリデバイス３７１０に保存してよい。ユーザーが貯めたポイントは、例えば景品を得るために、特定のウェブサイトで引き換え可能であってよい。例えば、蓄積ポイントをクーポンと引き換えてよい。別の例として、蓄積ポイントをおもちゃと引き換えてよい。蓄積ポイント数が増加すると、引き換え可能な景品の価値が上がってよい。
【０１９０】
あるいは、又は景品と共に、蓄積ポイントをウェブコンテンツの解除に利用してよい。例えば、第１のポイント数を貯めたユーザーは第１のウェブコンテンツを入手でき、第２のポイント数を貯めたユーザーは第１のウェブコンテンツに加え、更なるウェブコンテンツを入手できる。蓄積ポイントの数の増加を、解除された／アクセス可能なウェブコンテンツの増加と相関させてよい。
【０１９１】
上述したように、ディスプレイ３５０は、表面上に情報を投影するプロジェクタであってよい。プロジェクタは、本明細書に記載されるディスプレイと同じ情報を提供することができる。しかしながら、プロジェクタは、表面、例えば部屋の壁、鏡上に情報を投影するよう構成されてよい。プロジェクタは、ユーザーが投影された情報を読める及び／又は理解できるような方法で、情報を投影するよう構成される。例えば、情報が鏡又は鏡になった表面上に投影される場合、ユーザーが見る反射像が逆さまでないように、鏡上に情報を投影しなくてはならない。
【０１９２】
本発明の実施形態のいくつかの例が説明され記載されてきたが、本発明の趣旨及び範囲から逸脱することなく様々な他の変更及び修正を行えることは当業者には明白であろう。本発明の更なる機構、適用可能性、及び利点が、本発明の実施形態の上記の説明から及び／又は添付図面の図から明らかになる場合がある。本明細書に記載される及び／又は図によって表される、いずれの機構も、単独で使用されるか又はいずれかの組み合わせで使用されるかにかかわらず、本発明の主題を形成することは理解されるであろう。したがって、本発明の範囲内にあるそのようなすべての変更及び修正を、添付の「特許請求の範囲」で扱うものとする。加えて、１つの実施形態に関して記載した任意の特徴、性能、要素、方法などを、本明細書で説明した任意のその他実施形態において利用できるものとする。
【０１９３】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【０１９４】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参照することにより組み込まれた文献における同一の用語のいずれかの意味又は定義と相反する限りにおいて、本書においてその用語に与えられた定義又は意味が適用されるものとする。
【図１】
2014205063.tif 000003
【図２Ａ】
2014205063.tif 000004
【図２Ｂ】
2014205063.tif 000005
【図３】
2014205063.tif 000006
【図４】
2014205063.tif 000007
【図５】
2014205063.tif 000008
【図６】
2014205063.tif 000009
【図７】
2014205063.tif 000010
【図８】
2014205063.tif 000011
【図９】
2014205063.tif 000012
【図１０】
2014205063.tif 000013
【図１１】
2014205063.tif 000014
【図１２】
2014205063.tif 000015
【図１３】
2014205063.tif 000016
【図１４】
2014205063.tif 000017
【図１５】
2014205063.tif 000018
【図１６】
2014205063.tif 000019
【図１７】
2014205063.tif 000020
【図１８】
2014205063.tif 000021
【図１９】
2014205063.tif 000022
【図２０Ａ】
2014205063.tif 000023
【図２０Ｂ】
2014205063.tif 000024
【図２１Ａ】
2014205063.tif 000025
【図２１Ｂ】
2014205063.tif 000026
【図２１Ｃ】
2014205063.tif 000027
【図２２】
2014205063.tif 000028
【図２３】
2014205063.tif 000029
【図２４Ａ】
2014205063.tif 000030
【図２４Ｂ】
2014205063.tif 000031
【図２５】
2014205063.tif 000032
【図２６】
2014205063.tif 000033
【図２７】
2014205063.tif 000034
【図２８】
2014205063.tif 000035
【図２９Ａ】
2014205063.tif 000036
【図２９Ｂ】
2014205063.tif 000037
【図３０Ａ】
2014205063.tif 000038
【図３０Ｂ】
2014205063.tif 000039
【図３１Ａ】
2014205063.tif 000040
【図３１Ｂ】
2014205063.tif 000041
【図３２Ａ】
2014205063.tif 000042
【図３２Ｂ】
2014205063.tif 000043
【図３３Ａ】
2014205063.tif 000044
【図３３Ｂ】
2014205063.tif 000045
【図３４】
2014205063.tif 000046
【図３５】
2014205063.tif 000047
【図３６】
2014205063.tif 000048
【図３７】
2014205063.tif 000049